(57)【要約】【課題】  複数の照明負荷を一括調光でき、かつ、複数の照明負荷の数が増えても出力電流を抑制できる照明システム、照明負荷、及び電源装置を提供する。【解決手段】  照明システムＡ１は、負荷ブロック２０と、電源装置１と、を備える。負荷ブロック２０は、直列接続された複数の照明負荷２を有する。電源装置１は、直流電力を出力する一対の出力端子Ｐ３、Ｐ４を有して、直流の出力電流Ｉｏを負荷ブロック２０へ供給する。複数の照明負荷２は、正端子Ｐ１１、負端子Ｐ１２、及び光源をそれぞれ有する。光源は、正端子Ｐ１１から負端子Ｐ１２へ流れる出力電流Ｉｏによって点灯する。電源装置１は、出力電流Ｉｏを調整する機能を有する。【選択図】図１
2020136195.tif 000002
【特許請求の範囲】
【請求項１】
直列接続された複数の照明負荷を有する負荷ブロックと、
直流電力を出力する一対の出力端子を有して、前記一対の出力端子間に前記負荷ブロックを接続し、直流の出力電流を前記負荷ブロックへ供給する電源装置と、を備え、
前記複数の照明負荷は、前記出力電流が流入する正端子、前記出力電流が流出する負端子、及び少なくとも１つの固体発光素子を含む光源をそれぞれ有して、前記光源は、前記正端子から前記負端子へ流れる前記出力電流によって点灯し、
前記電源装置は、前記出力電流を調整する機能を有する
照明システム。
【請求項２】
前記電源装置は、
入力電圧を入力され、前記入力電圧を電力変換して前記出力電流を生成するコンバータと、
前記出力電流を検出する電流検出部と、
前記電流検出部が検出した前記出力電流の値が目標電流値に一致するように、前記コンバータを制御し、前記目標電流値を可変とするフィードバック制御回路と、を備える
請求項１記載の照明システム。
【請求項３】
前記電源装置は、
入力電圧を入力され、前記入力電圧を直流の出力電圧に変換し、前記一対の出力端子の間に前記出力電圧を印加するコンバータと、
前記出力電流を検出する電流検出部と、
前記出力電流が流れる主電路に設けられて、前記出力電流の値を目標電流値に一致させ、前記目標電流値を可変とする電流調整回路と、を備え、
前記コンバータは、前記主電路における前記電流調整回路の両端電圧の値が予め決められた所定値に一致するように、前記出力電圧を調整する
請求項１記載の照明システム。
【請求項４】
前記複数の照明負荷のそれぞれは、
前記光源を含む負荷電路に並列接続されたスイッチ素子と、
前記スイッチ素子のオンデューティを制御することで前記光源を調光するスイッチ制御回路と、をさらに備える
請求項１乃至３のいずれか一項に記載の照明システム。
【請求項５】
前記負荷電路は、前記光源、及びダイオードの直列回路を含む
請求項４記載の照明システム。
【請求項６】
前記複数の照明負荷のそれぞれは、外部機器から信号線を介して個別調光信号を受け取る信号受信回路を備え、
前記スイッチ制御回路は、前記個別調光信号に基づいて、前記オンデューティを制御する
請求項４又は５記載の照明システム。
【請求項７】
前記複数の照明負荷のそれぞれは、外部機器から無線信号として個別調光信号を受け取る信号受信回路を備え、
前記スイッチ制御回路は、前記個別調光信号に基づいて、前記オンデューティを制御する
請求項４又は５記載の照明システム。
【請求項８】
前記複数の照明負荷のそれぞれは、
前記正端子から前記負端子へ流れる前記出力電流によって生じた第１直流電圧を交番電圧に変換する交番回路と、
前記交番電圧から、前記第１直流電圧より大きい第２直流電圧を生成して、前記第２直流電圧を前記光源へ出力する電圧変換回路と、を備える
請求項１乃至５のいずれか一項に記載の照明システム。
【請求項９】
前記電圧変換回路は、
一次巻線及び二次巻線を有し、前記一次巻線に対する前記二次巻線の巻数比が１より大きいトランスと、
前記トランスの二次巻線に誘起された電圧を整流する整流回路と、を備え、
前記交番回路は、
前記一次巻線に前記交番電圧を印加する
請求項８記載の照明システム。
【請求項１０】
前記一次巻線は、第１端、第２端、及び前記第１端と前記第２端との間に設けられたセンタータップを有し、
前記センタータップはインダクタを介して前記正端子に接続され、
前記交番回路は、前記第１端と前記負端子との間に接続された第１スイッチ素子、及び前記第２端と前記負端子との間に接続された第２スイッチ素子を有し、
前記第１スイッチ素子及び前記第２スイッチ素子は、前記第１スイッチ素子及び前記第２スイッチ素子の少なくとも一方がオンするように、それぞれオンオフする
請求項９記載の照明システム。
【請求項１１】
前記交番回路は、前記正端子と前記負端子との間に直列接続された第１スイッチ素子及び第２スイッチ素子と、前記正端子と前記負端子との間に直列接続された第３スイッチ素子及び第４スイッチ素子とを備え、
前記第１スイッチ素子及び前記第３スイッチ素子は、前記正端子に接続され、
前記第２スイッチ素子及び前記第４スイッチ素子は、前記負端子に接続され、
前記一次巻線は、前記第１スイッチ素子及び前記第２スイッチ素子の接続点と前記第３スイッチ素子及び前記第４スイッチ素子の接続点との間に接続され、
前記第１スイッチ素子及び前記第４スイッチ素子と前記第２スイッチ素子及び前記第３スイッチ素子とは、前記第１スイッチ素子及び前記第４スイッチ素子と前記第２スイッチ素子及び前記第３スイッチ素子との少なくとも一方がオンするように、それぞれオンオフする
請求項９記載の照明システム。
【請求項１２】
前記交番回路は、一次巻線及び二次巻線を有するトランスを備えて、前記二次巻線に前記交番電圧を誘起し、
前記電圧変換回路は、前記交番電圧を正の整数倍にして整流及び平滑するＮ倍電圧整流平滑回路を備える
請求項８記載の照明システム。
【請求項１３】
前記交番回路は、
第１端及び第２端を有するチョークコイルと、
前記第１端と前記負端子との間に接続された第１スイッチ素子と、
前記第２端と前記負端子との間に接続された第２スイッチ素子と、を備え、
前記第１スイッチ素子及び前記第２スイッチ素子は、前記第１スイッチ素子及び前記第２スイッチ素子の少なくとも一方がオンするように、それぞれオンオフし、
前記電圧変換回路は、前記チョークコイルの電圧を正の整数倍にして整流及び平滑するＮ倍電圧整流平滑回路を備える
請求項８記載の照明システム。
【請求項１４】
前記交番回路は、前記正端子と前記負端子との間に直列接続された第１インダクタと第１スイッチ素子との直列回路、及び前記正端子と前記負端子との間に直列接続された第２インダクタと第２スイッチ素子との直列回路を備え、
前記第１スイッチ素子及び前記第２スイッチ素子は、前記第１スイッチ素子及び前記第２スイッチ素子の少なくとも一方がオンするように、それぞれオンオフし、
前記電圧変換回路は、前記第１インダクタ及び前記第１スイッチ素子の接続点と前記第２インダクタ及び前記第２スイッチ素子の接続点との間の電圧を正の整数倍にして整流及び平滑するＮ倍電圧整流平滑回路を備える
請求項８記載の照明システム。
【請求項１５】
前記電源装置は、
前記一対の出力端子の間の電圧である出力電圧の値を２つ以上の値のいずれかに切り換えることで、前記負荷ブロックへ伝送信号を送信する信号生成回路を備え、
前記複数の照明負荷のそれぞれは、
前記正端子と前記負端子との間の電圧である負荷電圧に基づいて、前記出力電圧の値が前記２つ以上の値のいずれであるかを判別することで、前記伝送信号を復調する信号取得部を備え、
前記信号取得部は、繰り返し設定される検出期間のそれぞれにおいて、前記負荷電圧を３以上の奇数回検出し、前記奇数回の検出結果から、当該検出期間における前記出力電圧の値が前記２つ以上の値のいずれであるかを多数決によって判別する
請求項１乃至１４のいずれか一項に記載の照明システム。
【請求項１６】
前記信号取得部は、前記検出期間のそれぞれにおいて、前記負荷電圧を同じ時間間隔で前記奇数回検出する
請求項１５記載の照明システム。
【請求項１７】
前記信号取得部は、前記検出期間のそれぞれにおいて、前記負荷電圧を互いに異なる時間間隔で前記奇数回検出する
請求項１５記載の照明システム。
【請求項１８】
前記信号取得部は、前記検出期間のそれぞれにおいて、前記検出期間の開始タイミングから前記奇数回の検出タイミングのうち１回目の検出タイミングまでの時間と、前記奇数回の検出タイミングのうち２回目以降の検出タイミングの発生周期とを異ならせる
請求項１５記載の照明システム。
【請求項１９】
前記信号取得部は、前記検出期間のそれぞれにおいて、前記検出期間の開始タイミングにおける前記負荷電圧に応じて、前記奇数回の検出タイミングのうち１回目の検出タイミングを決定する
請求項１５乃至１８のいずれか一項に記載の照明システム。
【請求項２０】
前記２つ以上の値は、第１値及び第２値を含み、
前記検出期間は、前記第１値に対応する第１検出期間及び前記第２値に対応する第２検出期間のいずれかであり、
前記信号生成回路は、予め決められた周期毎に前記出力電圧を前記第１値及び前記第２値のいずれかに設定することで、前記周期毎にビット情報を含む前記伝送信号を送信し、かつ、前記伝送信号に、前記出力電圧の値を前記第１値又は前記第２値に交互に切り換えた測定用ビット列を含め、
前記信号取得部は、前記測定用ビット列に対応する前記負荷電圧の検出結果に基づいて、前記第１検出期間及び前記第２検出期間の各時間長さをそれぞれ設定する
請求項１５乃至１９のいずれか一項に記載の照明システム。
【請求項２１】
前記測定用ビット列は、前記伝送信号の先頭に位置する
請求項２０記載の照明システム。
【請求項２２】
前記電源装置は、前記出力電圧の波形に基づいて、前記第１値及び前記第２値の少なくとも一方を可変とする
請求項２０又は２１記載の照明システム。
【請求項２３】
前記信号取得部は、前記負荷電圧を閾値と比較することで、前記出力電圧の値が前記第１値及び前記第２値のいずれであるかを判別し、
前記閾値は、前記第１値と前記第２値との平均値である
請求項２０乃至２２のいずれか一項に記載の照明システム。
【請求項２４】
請求項１乃至２３のいずれか一項に記載の照明システムに用いられる照明負荷。
【請求項２５】
請求項１乃至２３のいずれか一項に記載の照明システムに用いられる電源装置。
【発明の詳細な説明】
【技術分野】
【０００１】
本開示は、照明システム、照明負荷、及び電源装置に関する。
【背景技術】
【０００２】
特許文献１の配電システムは、電力変換部、ＬＥＤコントローラ、一対の給電線、及び複数のＬＥＤ照明端末を備える。電力変換部は、ＤＣ／ＤＣコンバータは、商用交流電源を入力とし、所定の直流電圧を出力する。ＤＣ／ＤＣコンバータが出力した直流電圧は、ＬＥＤコントローラを介して一対の給電線に印加される。複数のＬＥＤ照明端末は、一対の給電線の間で並列接続される。
【０００３】
ＬＥＤコントローラは、ＤＣ／ＤＣコンバータの出力部と給電線との間に挿入されたスイッチ回路を備える。そして、ＬＥＤ照明端末に直流電力を供給するための直流電圧をスイッチ回路でオン／オフ制御することで、ＬＥＤ照明端末の点灯電力量を制御して調光を行う。
【先行技術文献】
【特許文献】
【０００４】
【特許文献１】特開２００８−４３０１１号公報
【発明の概要】
【発明が解決しようとする課題】
【０００５】
上述の特許文献１の配電システムでは、ＬＥＤ照明端末（照明負荷）の数が増えるにしたがって、一対の給電線に流れる電流（出力電流）も増加する。この結果、給電線に求められる電流容量が大きくなってしまう。
【０００６】
本開示の目的は、複数の照明負荷を一括調光でき、かつ、複数の照明負荷の数が増えても出力電流を抑制できる照明システム、照明負荷、及び電源装置を提供することにある。
【課題を解決するための手段】
【０００７】
本開示の一態様に係る照明システムは、負荷ブロックと、電源装置と、を備える。前記
負荷ブロックは、直列接続された複数の照明負荷を有する。前記電源装置は、直流電力を出力する一対の出力端子を有して、前記一対の出力端子間に前記負荷ブロックを接続し、直流の出力電流を前記負荷ブロックへ供給する。前記複数の照明負荷は、前記出力電流が流入する正端子、前記出力電流が流出する負端子、及び少なくとも１つの固体発光素子を含む光源をそれぞれ有する。前記光源は、前記正端子から前記負端子へ流れる前記出力電流によって点灯する。前記電源装置は、前記出力電流を調整する機能を有する。
【０００８】
本開示の一態様に係る照明負荷は、上述の照明システムに用いられる。
【０００９】
本開示の一態様に係る電源装置、上述の照明システムに用いられる。
【発明の効果】
【００１０】
以上説明したように、本開示では、複数の照明負荷を一括調光でき、かつ、複数の照明負荷の数が増えても出力電流を抑制できるという効果がある。
【図面の簡単な説明】
【００１１】
【図１】図１は、本発明の実施形態に係る照明システムを示すブロック図である。
【図２】図２は、同上の照明システムの等価回路を示すブロック図である。
【図３】図３は、同上の電源装置の構成を示す回路図である。
【図４】図４は、同上の照明器具の構成を示す回路図である。
【図５】図５は、同上の第１変形例の電源装置の構成を示す回路図である。
【図６】図６Ａは、第１変形例のオンデューティに対する出力電流、及び負荷電流の各変化を示す。図６Ｂは、オンデューティに対する出力電力、及びＬＥＤ電力の各変化を示す。
【図７】図７は、同上の第２変形例に係る照明システムを示すブロック図である。
【図８】図８は、第２変形例に係る照明器具の構成を示す回路図である。
【図９】図９は、第２変形例のオンデューティに対する負荷電流の変化を示す。
【図１０】図１０は、同上の第３変形例に係る照明器具の第１構成を示す回路図である。
【図１１】図１１は、第３変形例に係るスイッチ制御回路の構成を示す回路図である。
【図１２】図１２は、第３変形例に係る三角波信号、及びＰＷＭ信号の各波形を示す波形図である。
【図１３】図１３Ａは、第３変形例に係る昇圧比と出力電流との関係、及び昇圧比と負荷電流との関係を示すグラフである。図１３Ｂは、第３変形例に係る昇圧比と出力電圧との関係、及び昇圧比と負荷電圧との関係を示すグラフである。
【図１４】図１４は、第３変形例に係る照明器具の第２構成を示す回路図である。
【図１５】図１５は、同上の第４変形例に係る照明器具の構成を示す回路図である。
【図１６】図１６Ａは、第４変形例に係る２倍電圧整流平滑回路の構成を示す回路図である。図１６Ｂは、２倍電圧整流平滑回路の別の構成を示す回路図である。図１６Ｃは、３倍電圧整流平滑回路の構成を示す回路図である。
【図１７】図１７Ａは、第４変形例に係る４倍電圧整流平滑回路の構成を示す回路図である。図１７Ｂは、５倍電圧整流平滑回路の構成を示す回路図である。
【図１８】図１８は、同上の第５変形例に係る照明器具の構成を示す回路図である。
【図１９】図１９は、同上の第６変形例に係る照明器具の構成を示す回路図である。
【図２０】図２０は、同上の第７変形例に係る電源装置の構成の一部を示すブロック図である。
【図２１】図２１は、第７変形例に係る照明負荷の構成を示す回路図である。
【図２２】図２２Ａは、第７変形例に係る出力電圧の波形を示す波形図である。図２２Ｂは、第７変形例に係る出力電圧の波形を示す波形図である。図２２Ｃは、第７変形例に係る出力電圧の波形を示す波形図である。
【図２３】図２３Ａは、第７変形例に係る判別処理を説明するための波形図である。図２３Ｂは、第７変形例に係る判別処理を説明するための波形図である。
【図２４】図２４Ａは、第７変形例に係る標準負荷時における負荷電圧の波形を示す波形図である。図２４Ｂは、軽負荷時における負荷電圧の波形を示す波形図である。図２４Ｃは、重負荷時における負荷電圧の波形を示す波形図である。
【図２５】図２５は、第７変形例に係る伝送信号のフォーマットを示す図である。
【図２６】図２６は、第７変形例に係る別の伝送信号のフォーマットを示す図である。
【発明を実施するための形態】
【００１２】
以下の実施形態は、一般に、照明システム、照明負荷、及び電源装置に関する。より詳細には、直流電力を複数の照明負荷へ供給する照明システム、並びにそれに用いられる照明負荷、及び電源装置に関する。
【００１３】
本実施形態の照明システム、照明負荷、及び電源装置は、主に、オフィス、工場、店舗、事務所、住戸などで用いられる。住戸は、戸建住宅、及び集合住宅の各住戸のいずれでもよい。
【００１４】
以下に実施形態を図面に基づいて説明する。
【００１５】
本実施形態の照明システムＡ１は、図１に示すように、電源装置１、及び複数の照明負荷２を備える。複数の照明負荷２は直列接続されており、複数の照明負荷２の直列回路は、負荷ブロック２０を構成する。さらに、照明システムＡ１は、外部機器として調光コントローラ３をさらに備えることが好ましい。なお、図１では、５台の照明負荷２が直列接続されているが、照明負荷２の数は特定の数に限定されない。
【００１６】
電源装置１は、一対の入力端子Ｐ１、Ｐ２、及び一対の出力端子Ｐ３、Ｐ４を備える。一対の入力端子Ｐ１、Ｐ２には交流電源９の交流電圧Ｖａが接続される。交流電源９は、例えば公称電圧１００Ｖ又は２００Ｖ、周波数５０Ｈｚ又は６０Ｈｚの商用電源である。電源装置１は、交流電源９から一対の入力端子Ｐ１、Ｐ２を介して交流電力を供給される。そして、電源装置１は、交流電力を電力変換して、一対の出力端子Ｐ３、Ｐ４から直流電力を出力する。出力端子Ｐ３、Ｐ４には、給電線Ｗ１がそれぞれ接続されている。出力端子Ｐ３は、給電線Ｗ１を介して、負荷ブロック２０の正側に接続される。出力端子Ｐ４は、給電線Ｗ１を介して、負荷ブロック２０の負側に接続される。電源装置１は、出力端子Ｐ３から給電線Ｗ１、複数の負荷ブロック２０、及び給電線Ｗ１を流れて、出力端子Ｐ４に流入する直流の出力電流Ｉｏを出力する。出力端子Ｐ３、Ｐ４の間には、コンデンサＣ４が接続されており、コンデンサＣ４の両端間には、負荷ブロック２０の両端電圧に応じた出力電圧Ｖｏが発生する。コンデンサＣ４によって、出力端子Ｐ３−Ｐ４間の負荷電圧Ｖｏは平滑される。なお、一対の入力端子Ｐ１、Ｐ２、及び一対の出力端子Ｐ３、Ｐ４は、端子台、コネクタ、プラグ、半田、又はレセプタクルで構成されており、さらには単に導体で構成されていてもよい。
【００１７】
負荷ブロック２０は、複数の照明負荷２の直列回路を備える。照明負荷２は、正端子Ｐ１１、及び負端子Ｐ１２を有する。照明負荷２では、出力電流Ｉｏが正端子Ｐ１１から流入し、照明負荷２の内部を通った出力電流Ｉｏは、負端子Ｐ１２から流出する。複数の照明負荷２のうち、負荷ブロック２０の最も正側に位置する（最も上位の）照明負荷２の正端子Ｐ１１は、給電線Ｗ１を介して電源装置１の出力端子Ｐ３に接続している。複数の照明負荷２のうち、負荷ブロック２０の最も負側に位置する（最も下位の）照明負荷２の負端子Ｐ１２は、給電線Ｗ１を介して電源装置１の出力端子Ｐ４に接続している。複数の照明負荷２のうち、他の照明負荷２の正端子Ｐ１１は、隣の（上位の）照明負荷２の負端子Ｐ１２に接続し、他の照明負荷２の負端子Ｐ１２は、隣の（下位の）照明負荷２の正端子Ｐ１１に接続する。すなわち、複数の照明負荷２は、出力端子Ｐ３、Ｐ４の間に直列接続される。照明負荷２は、少なくとも１つの固体発光素子を含む光源を備えており、光源は、出力電流Ｉｏによって点灯する。
【００１８】
調光コントローラ３は、電源装置１へ信号を出力することができるように構成されている。調光コントローラ３と電源装置１との間の信号経路は、有線及び無線のいずれでもよい。すなわち、調光コントローラ３から電源装置１への信号伝送が、有線通信または無線通信によって可能に構成されている。有線通信は、ツイストペアケーブル、専用通信線、またはＬＡＮ（Local Area Network）ケーブルなどを介して行われる。無線通信は、無線ＬＡＮ、小電力無線、または赤外線通信などによって行われる。
【００１９】
調光コントローラ３は、複数の照明負荷２を一括調光する場合、電源装置１へ一括調光信号Ｙ０を出力する。一括調光信号Ｙ０を受け取った電源装置１は、出力電流Ｉｏを増加又は減少させることで、複数の照明負荷２の各調光レベルを一括して増加又は低下させる。この結果、複数の照明負荷２の各光出力も一括して増加又は減少する。
【００２０】
一括調光とは、複数の照明負荷２の各間の調光レベルの差を維持した状態で、複数の照明負荷２の各調光レベルを一括して変化させることである。複数の照明負荷２の各調光レベルが互いに同一の調光レベルに調整されている場合、一括調光によって増加又は低下した複数の照明負荷２の各調光レベルも互いに同一である。複数の照明負荷２の各調光レベルが互いに異なる調光レベルに調整されている場合、一括調光によって増加又は低下した複数の照明負荷２の各調光レベルも互いに異なる。なお、調光レベル０％は光源の消灯に相当し、調光レベル１００％は光源の全点灯（１００％点灯）に相当する。
【００２１】
図２は、電源装置１を電流源Ｊ１に置き換えた等価回路である。電流源Ｊ１は、給電線Ｗ１を介して出力電流Ｉｏを負荷ブロック２０へ供給する。一括調光時には、電流源Ｊ１は、出力電流Ｉｏの大きさを変化させることで、複数の照明負荷２を一括調光する。このとき、出力電流Ｉｏの大きさは、負荷ブロック２０の照明負荷２の数に関わらず、一括調光信号Ｙ０の指示によって決まる。すなわち、照明負荷２の数が増加又は減少したとしても、出力電流Ｉｏは変化しない。したがって、照明システムＡ１は、複数の照明負荷２を一括調光でき、かつ、複数の照明負荷２の数が増えても出力電流Ｉｏを抑制できる。
【００２２】
図３は、電源装置１の回路構成の一例を示す。電源装置１は、直流電源１１、コンバータ１２、電流検出部１３、及びフィードバック制御回路１４を備える。
【００２３】
直流電源１１は、インダクタＬ１、Ｌ２、コンデンサＣ１、Ｃ２、整流回路ＤＢ１、スイッチ素子Ｑ１、及びダイオードＤ１を備え、入力端子Ｐ１、Ｐ２を介して交流電圧Ｖａを入力される。インダクタＬ１とコンデンサＣ１との直列回路は、入力端子Ｐ１と入力端子Ｐ２との間に接続されている。インダクタＬ１及びコンデンサＣ１はフィルタ回路を構成する。インダクタＬ１とコンデンサＣ１との接続点、及び入力端子Ｐ２は、整流回路ＤＢ１に接続される。整流回路ＤＢ１は、入力端子Ｐ１、Ｐ２からフィルタ回路を介して入力された交流電圧Ｖａを整流して整流電圧を出力する。整流回路ＤＢ１は、例えば全波整流器である。整流回路ＤＢ１の一対の出力端（正出力端及び負出力端）間には、インダクタＬ２とスイッチ素子Ｑ１との直列回路が接続されている。スイッチ素子Ｑ１は、例えばＮチャネルのエンハンスメント型のＭＯＳＦＥＴ（Metal Oxide Semiconductor Field Effect Transistor）である。スイッチ素子Ｑ１のドレインがインダクタＬ２に接続される。スイッチ素子Ｑ１のソースは、整流回路ＤＢ１の負出力端に接続される。スイッチ素子Ｑ１のドレインは、ダイオードＤ１のアノードにさらに接続される。ダイオードＤ１のカソードはコンデンサＣ２の正極に接続される。コンデンサＣ２の負極は、スイッチ素子Ｑ１のソースに接続される。この直流電源１１は、昇圧チョッパ回路であり、力率改善回路としても機能する。具体的には、スイッチ素子Ｑ１が図示しない制御回路によってオンオフされることで、コンデンサＣ２の両端間には、昇圧された直流の入力電圧Ｖｉが生成される。
【００２４】
コンバータ１２は、トランスＴｒ１、スイッチ素子Ｑ２、ダイオードＤ２、コンデンサＣ３、及び駆動回路Ｋ１を備える、所謂、絶縁型のフライバックコンバータである。トランスＴｒ１は、一次巻線１０１及び二次巻線１０２を有する。一次巻線１０１とスイッチ素子Ｑ２との直列回路は、コンデンサＣ２の両端間に接続される。スイッチ素子Ｑ２は、例えばＮチャネルのエンハンスメント型のＭＯＳＦＥＴである。スイッチ素子Ｑ２のドレインが一次巻線１０１に接続される。スイッチ素子Ｑ２のソースは、コンデンサＣ２の負極に接続される。スイッチ素子Ｑ２のゲートは、駆動回路Ｋ１に接続されている。駆動回路Ｋ１は、スイッチ素子Ｑ２のゲートを駆動することで、スイッチ素子Ｑ２をオンオフさせる。二次巻線１０２の一端は、ダイオードＤ２のアノードに接続され、ダイオードＤ２のカソードは、コンデンサＣ３の正極に接続される。コンデンサＣ３の正極は、出力端子Ｐ３に接続される。コンデンサＣ３の負極は、二次巻線１０２の他端に接続され、さらには回路グランドにも接続される。
【００２５】
電流検出部１３は、抵抗Ｒ１を備える。抵抗Ｒ１の一端は、コンデンサＣ３の負極に接続され、抵抗Ｒ１の他端は、出力端子Ｐ４に接続される。
【００２６】
フィードバック制御回路１４は、抵抗Ｒ２、Ｒ３、Ｒ４、コンデンサＣ４、直流電圧源Ｅ１、オペアンプＯＰ１、及びフォトカプラＰＣ１を備える。抵抗Ｒ２の一端は出力端子Ｐ４に接続され、抵抗Ｒ２の他端はオペアンプＯＰ１の反転入力端子に接続される。オペアンプＯＰ１の出力端子と反転入力端子との間には抵抗Ｒ３及びコンデンサＣ４の並列回路が接続される。オペアンプＯＰ１の非反転入力端子と回路グランドとの間には、直流電圧源Ｅ１が接続される。オペアンプＯＰ１の出力端子は、抵抗Ｒ４を介してフォトカプラＰＣ１の発光ダイオードのアノードに接続される。フォトカプラＰＣ１の発光ダイオードのカソードは回路グランドに接続される。フォトカプラＰＣ１のフォトトランジスタのコレクタは駆動回路Ｋ１に接続され、フォトトランジスタのエミッタはコンデンサＣ２の負極に接続される。
【００２７】
駆動回路Ｋ１は、スイッチ素子Ｑ２をオンオフする。スイッチ素子Ｑ２のオンオフによって、トランスＴｒ１の二次巻線１０２に誘導起電力が発生し、ダイオードＤ２を介してコンデンサＣ３が充電される。この結果、コンデンサＣ３の両端に出力電圧Ｖｏが生成され、出力電流Ｉｏが負荷ブロック２０へ供給される。
【００２８】
出力電流Ｉｏは抵抗Ｒ１を通る。この結果、抵抗Ｒ１の両端には、出力電流Ｉｏの大きさに比例した電圧が検出電圧として発生する。検出電圧は、抵抗Ｒ２を介してオペアンプＯＰ１の反転入力端子に入力される。直流電圧源Ｅ１は、直流の目標電圧Ｖｓ１を出力する。直流電圧源Ｅ１は、目標電圧Ｖｓ１の値を可変とすることができ、一括調光信号Ｙ０に応じて目標電圧Ｖｓ１の値を調整する。一括調光信号Ｙ０が指示する調光レベル（一括調光レベル）が高いほど、目標電圧Ｖｓ１の値は大きくなる。オペアンプＯＰ１、抵抗Ｒ３、及びコンデンサＣ４は、エラーアンプとして機能し、オペアンプＯＰ１は、検出電圧と目標電圧Ｖｓ１との差分を増幅した電圧を出力する。オペアンプＯＰ１が出力するエラー信号Ｙ１は、抵抗Ｒ４を介してフォトカプラＰＣ１の発光ダイオードに入力され、エラー信号Ｙ１によってフォトカプラＰＣ１のフォトトランジスタが駆動される。駆動回路Ｋ１には、フォトトランジスタのコレクタが接続されており、フォトトランジスタの導通状態に応じたエラー信号Ｙ２が駆動回路Ｋ１に入力される。駆動回路Ｋ１は、エラー信号Ｙ２に応じて、スイッチ素子Ｑ２をオンオフさせるＰＷＭ信号（ゲート電圧）のオンデューティを調整するように構成される。すなわち、フォトトランジスタの導通度合が大きいほど（フォトトランジスタのエミッタ−コレクタ間電圧が小さいほど）、駆動回路Ｋ１が出力するＰＷＭ信号のオンデューティを小さくすることで、負荷電流Ｉｏの負帰還制御が実現される。この結果、抵抗Ｒ１による検出電圧が目標電圧Ｖｓ１に一致するように、スイッチ素子Ｑ２はオンオフする。すなわち、コンバータ１２は、出力電流Ｉｏの値が一括調光信号Ｙ０の指示に対応する値（目標電流値）に一致するように、出力電流Ｉｏの大きさを調整する。
【００２９】
図４は、照明負荷２の回路構成の一例を示す。照明負荷２は、インダクタＬ１１、スイッチ素子Ｑ１１、ダイオードＤ１１、コンデンサＣ１１、スイッチ制御回路Ｋ１１、及び光源２ａを備える。スイッチ素子Ｑ１１は、例えばＮチャネルのエンハンスメント型のＭＯＳＦＥＴである。好ましくは、照明負荷２は、インダクタＬ１１、ダイオードＤ１１、及び光源２ａの直列回路を含む。
【００３０】
光源２ａは、少なくとも１つの固体発光素子として、複数のＬＥＤ（Light Emitting Diode）素子が直列接続されたＬＥＤアレイを有している。光源２ａは、並列接続された複数のＬＥＤアレイを有していてもよい。ここで、光源２ａの第１端には、ＬＥＤアレイの一端のＬＥＤ素子のアノードが接続しており、光源２ａの第１端をアノード側と呼ぶ。また、光源２ａの第２端には、ＬＥＤアレイの他端のＬＥＤ素子のカソードが接続しており、光源２ａの第２端をカソード側と呼ぶ。
【００３１】
インダクタＬ１１の一端は正端子Ｐ１１に接続され、インダクタＬ１１の他端はスイッチ素子Ｑ１１のドレインに接続される。スイッチ素子Ｑ１１のソースは、負端子Ｐ１２に接続される。スイッチ素子Ｑ１１のドレインは、さらにダイオードＤ１１のアノードに接続され、ダイオードＤ１１のカソードは、コンデンサＣ１１の正極に接続される。コンデンサＣ１１の負極は、負端子Ｐ１２に接続される。光源２ａのアノード側は、コンデンサＣ１１の正極に接続され、光源２ａのカソード側は、コンデンサＣ１１の負極に接続される。ダイオードＤ１１及び光源２ａの直列回路は負荷電路Ｗ２０を構成し、スイッチ素子Ｑ１１は、負荷電路Ｗ２０に並列接続されている。
【００３２】
スイッチ制御回路Ｋ１１は、各照明負荷２の個別の調光レベル（個別調光レベル）に応じたオンデューティのＰＷＭ信号Ｙ１１をスイッチ素子Ｑ１１のゲートへ出力する。スイッチ素子Ｑ１１は、ゲートに印加されたＰＷＭ信号Ｙ１１に応じてオンオフする。スイッチ制御回路Ｋ１１は、スイッチ素子Ｑ１１のオンデューティを制御することで、光源２ａに流れる負荷電流Ｉｂを調整する。スイッチ素子Ｑ１１がオフすれば、出力電流Ｉｏはスイッチ素子Ｑ１１に殆ど流れず、出力電流Ｉｏは負荷電流Ｉｂとして光源２ａを流れる。スイッチ素子Ｑ１１がオンすれば、出力電流Ｉｏはスイッチ素子Ｑ１１を流れ、出力電流Ｉｏは光源２ａに殆ど流れず、負荷電流Ｉｂはゼロになる。したがって、スイッチ素子Ｑ１１のオンデューティが小さいほど、負荷電流Ｉｂは大きくなり、光源２ａの調光レベルは高くなる。スイッチ素子Ｑ１１のオンデューティが大きいほど、負荷電流Ｉｂは小さくなり、光源２ａの調光レベルは低くなる。
【００３３】
本実施形態では、ＰＷＭ信号Ｙ１１のＰＷＭ周波数は５０ｋＨｚである。スイッチ素子Ｑ１１のオンデューティが１００％であれば、光源２ａは消灯する。スイッチ素子Ｑ１１のオンデューティを減少させると、光源２ａの調光レベル（負荷電流Ｉｂ）は線形的に上昇する。スイッチ素子Ｑ１１のオンデューティを増加させると、光源２ａの調光レベル（負荷電流Ｉｂ）は線形的に低下する。スイッチ素子Ｑ１１のオンデューティが０％であれば、光源２ａは全点灯する。言い換えると、負荷電流Ｉｂは、スイッチ素子Ｑ１１のオンデューティにほぼ逆比例する。また、光源２ａの消費電力も、負荷電流Ｉｂと同様に、スイッチ素子Ｑ１１のオンデューティにほぼ逆比例する。また、スイッチ素子Ｑ１１のオンデューティを増加させると、光源２ａの両端電圧は徐々に低下するが、オンデューティが１００％に達する直前までは、光源２ａの両端電圧は点灯開始電圧以上の値を維持する。
【００３４】
光源２ａが有する複数の固体発光素子の各々は、ＬＥＤに限らず、有機ＥＬ（Organic Electro Luminescence、OEL）、または半導体レーザダイオード（Laser Diode、LD）などの他の固体発光素子であってもよい。また、固体発光素子の数は、複数に限らず、１つであってもよい。複数の固体発光素子の電気的な接続関係は直列接続であるが、この接続関係に限らない。複数の固体発光素子の電気的な接続関係は、並列接続であってもよいし、直列接続と並列接続とを組み合わせた接続関係であってもよい。
【００３５】
（第１変形例）
図５は、電源装置１の回路構成の別例を示す。電源装置１は、直流電源１１、コンバータ１５、電流検出部１６、及び電流調整回路１７を備える。
【００３６】
直流電源１１は、直流の入力電圧Ｖｉを出力する。直流電源１１は、例えば上述の実施形態と同様の構成（図３参照）を備える。
【００３７】
コンバータ１５は、スイッチ素子Ｑ２１、インダクタＬ２１、コンデンサＣ２１、ダイオードＤ２１、抵抗Ｒ２１、Ｒ２２、コンデンサＣ２２、オペアンプＯＰ２１、直流電圧源Ｅ２１、コンパレータＣＰ２１、発振器Ｋ２１、及び駆動回路Ｋ２２を備える。スイッチ素子Ｑ２１は、例えばＮチャネルのエンハンスメント型のＭＯＳＦＥＴである。ここで、コンバータ１５は、非絶縁型のバックコンバータである。
【００３８】
直流電源１１の一対の出力端間（正極及び負極）には、スイッチ素子Ｑ２１、インダクタＬ２１、及びコンデンサＣ２１の直列回路が接続されている。スイッチ素子Ｑ２１のドレインは、直流電源１１の正極に接続され、スイッチ素子Ｑ２１のソースは、インダクタＬ２１の一端に接続される。インダクタＬ２１の他端は、コンデンサＣ２１の正極に接続され、コンデンサＣ２１の負極は、直流電源１１の負極に接続される。ダイオードＤ２１のアノードは、コンデンサＣ２１の負極に接続され、ダイオードＤ２１のカソードは、スイッチ素子Ｑ２１のソースに接続される。コンデンサＣ２１の正極は、出力端子Ｐ３に接続される。コンデンサＣ２１の負極は、電流検出部１６、及び電流調整回路１７を介して出力端子Ｐ４に接続される。
【００３９】
抵抗Ｒ２１の一端は、出力端子Ｐ４に接続され、抵抗Ｒ２１の他端は、オペアンプＯＰ２１の反転入力端子に接続される。オペアンプＯＰ２１の出力端子と反転入力端子との間には抵抗Ｒ２２及びコンデンサＣ２２の並列回路が接続される。オペアンプＯＰ２１の非反転入力端子と回路グランドとの間には、直流電圧源Ｅ２１が接続される。コンパレータＣＰ２１の非反転入力端子にはオペアンプＯＰ２１の出力端子が接続される。コンパレータＣＰ２１の反転入力端子と回路グランドとの間には発振器Ｋ２１が接続される。コンパレータＣＰ２１の出力端子は、駆動回路Ｋ２２に接続される。駆動回路Ｋ２２は、さらにスイッチ素子Ｑ２１のゲート及びソースに接続される。
【００４０】
電流検出部１６は、抵抗Ｒ２３を備える。抵抗Ｒ２３の一端は、コンデンサＣ２１の負極に接続され、抵抗Ｒ２３の他端は、電流調整回路１７を介して出力端子Ｐ４に接続される。
【００４１】
電流調整回路１７は、オペアンプＯＰ２２、スイッチ素子Ｑ２２、及び直流電圧源Ｅ２２を備える。スイッチ素子Ｑ２２は、例えばＮチャネルのエンハンスメント型のＭＯＳＦＥＴである。オペアンプＯＰ２２の非反転入力端子は、直流電圧源Ｅ２２の正極が接続される。直流電圧源Ｅ２２の負極は抵抗Ｒ２３の一端（コンデンサＣ２１の負極）に接続される。オペアンプＯＰ２２の反転入力端子は、抵抗Ｒ２３の他端（スイッチ素子Ｑ２２のソース）に接続される。オペアンプＯＰ２２の出力端子は、スイッチ素子Ｑ２２のゲートに接続される。スイッチ素子Ｑ２２のドレインは、出力端子Ｐ４に接続される。
【００４２】
すなわち、抵抗Ｒ２３及びスイッチ素子Ｑ２２は、出力電流Ｉｏが流れる主電路Ｗ１０に設けられている。
【００４３】
そして、スイッチ素子Ｑ２１がオンオフすることで、入力電圧Ｖｉが降圧された直流の中間電圧ＶｍがコンデンサＣ２１の両端間に生成される。中間電圧Ｖｍは、出力電流Ｉｏによって生じる抵抗Ｒ２３とスイッチ素子Ｑ２２との直列回路の両端電圧が、予め決められた基準電圧に一致するように調整される。
【００４４】
具体的に、抵抗Ｒ２３とスイッチ素子Ｑ２２との直列回路の両端電圧は、抵抗Ｒ２１を介してオペアンプＯＰ２１の反転入力端子に入力される。直流電圧源Ｅ２１は、予め決められた大きさの直流の基準電圧Ｖｓ２を出力する。基準電圧Ｖｓ２の値は、出力電流Ｉｏによって生じるスイッチ素子Ｑ２２での電力損失をできるだけ低くできるように、予め設定されている。オペアンプＯＰ２１、抵抗Ｒ２２、及びコンデンサＣ２２は、エラーアンプとして機能し、オペアンプＯＰ２１は、反転入力端子と非反転入力端子の各電圧の差分を増幅した電圧を出力する。オペアンプＯＰ２１の出力電圧は、コンパレータＣＰ２１の非反転入力端子に入力される。発振器Ｋ２１は、三角波形（のこぎり波形）の発振電圧を出力する。コンパレータＣＰ２１は、オペアンプＯＰ２１の出力電圧と発振器Ｋ２１の発振電圧とを比較して、電圧値がＨレベル又はＬレベルに交互に切り換わるＰＷＭ信号Ｙ２１を出力する。駆動回路Ｋ２２は、ＰＷＭ信号Ｙ２１を入力される。駆動回路Ｋ２２は、ＰＷＭ信号Ｙ２１に応じたオンデューティでスイッチ素子Ｑ２１をオンオフさせる。この結果、出力電流Ｉｏによって生じる抵抗Ｒ２３とスイッチ素子Ｑ２２との直列回路の両端電圧が、基準電圧Ｖｓ２に一致するように、中間電圧Ｖｍが調整される。
【００４５】
電流調整回路１７は、出力電流Ｉｏの値を目標電流値に一致させる。出力電流Ｉｏは抵抗Ｒ２３を通り、抵抗Ｒ２３の両端には、出力電流Ｉｏの大きさに比例した電圧が検出電圧として発生する。検出電圧は、オペアンプＯＰ２２の反転入力端子に入力される。直流電圧源Ｅ２２は、直流の目標電圧Ｖｓ３を出力する。直流電圧源Ｅ２２は、目標電圧Ｖｓ３の値を可変とすることができ、一括調光信号Ｙ０に応じて目標電圧Ｖｓ３の値を調整する。一括調光信号Ｙ０が指示する一括調光レベルが高いほど、目標電圧Ｖｓ３の値は大きくなる。オペアンプＯＰ２２は、エラーアンプとして機能し、オペアンプＯＰ２２は、検出電圧と目標電圧Ｖｓ３との差分を増幅した電圧を出力する。オペアンプＯＰ２２の出力電圧は、スイッチ素子Ｑ２２のゲートーソース間に印加される。オペアンプＯＰ２２の出力電圧が増大すると、出力電流Ｉｏは増加し、オペアンプＯＰ２２の出力電圧が低下すると、出力電流Ｉｏは減少する。この結果、抵抗Ｒ２３による検出電圧が目標電圧Ｖｓ３に一致するように、スイッチ素子Ｑ２２のゲート電圧の値が決定される。すなわち、電流調整回路１７は、出力電流Ｉｏの値が一括調光信号Ｙ０の指示に対応する値（目標電流値）に一致するように、出力電流Ｉｏの大きさを調整する。
【００４６】
図６Ａは、照明負荷２のスイッチ素子Ｑ１１のオンデューティに対する出力電流Ｉｏ、及び負荷電流Ｉｂの変化をそれぞれ示す。スイッチ素子Ｑ１１のオンデューティに関わらず、出力電流Ｉｏは一定値を維持する。一方、負荷電流Ｉｂは、スイッチ素子Ｑ１１のオンデューティにほぼ逆比例する。
【００４７】
また、複数の照明負荷２の各ＰＷＭ信号Ｙ１１を同期させた場合、スイッチ素子Ｑ１１のオンデューティに対する電源装置１の出力電力Ｐｏ、及び光源２ａの消費電力（負荷電力）Ｐｂは、図６Ｂに示される。各ＰＷＭ信号Ｙ１１が同期していれば、各スイッチ素子Ｑ１１は同じタイミングで同様に駆動される。なお、図６Ｂでは、負荷ブロック２０が２つの照明負荷２の直列回路で構成される場合のシミュレーション結果である。出力電力Ｐｏ、及び負荷電力Ｐｂは、スイッチ素子Ｑ１１のオンデューティにほぼ逆比例する。
【００４８】
（第２変形例）
図７は、第２変形例の照明システムＡ１の構成を示す。照明システムＡ１は、調光コントローラ３と複数の照明負荷２との間を、信号線Ｗ２で接続している。調光コントローラ３は、複数の照明負荷２のそれぞれに対して、信号線Ｗ２を介して個別調光信号Ｙ１０を送信することができる。個別調光信号Ｙ１０は、複数の照明負荷２のそれぞれに対して例えばユニキャストで送信される。個別調光信号Ｙ１０は、送信先の照明負荷２の調光レベル（個別調光レベル）を個別に指示する信号である。
【００４９】
図８は、第２変形例の照明負荷２の構成を示す。第２変形例の照明負荷２は、信号受信回路Ｋ１２をさらに備えている。信号受信回路Ｋ１２は、信号線Ｗ２に接続されており、調光コントローラ３から信号線Ｗ２を介して個別調光信号Ｙ１０を受け取ることができる。信号受信回路Ｋ１２は、個別調光信号Ｙ１０で指示された個別調光レベルの情報をスイッチ制御回路Ｋ１１へ引き渡す。スイッチ制御回路Ｋ１１は、指示された個別調光レベルに応じたオンデューティのＰＷＭ信号Ｙ１１をスイッチ素子Ｑ１１のゲートへ出力する。スイッチ制御回路Ｋ１１は、個別調光信号Ｙ１０に応じてスイッチ素子Ｑ１１のオンデューティを制御することで、光源２ａに流れる負荷電流Ｉｂを調整することができる。この有線通信は、ツイストペアケーブル、専用通信線、またはＬＡＮ（Local Area Network）ケーブルなどを介して行われる。
【００５０】
したがって、照明システムＡ１は、複数の照明負荷２のそれぞれの調光レベルを個別に調整でき、複数の照明負荷２の個別調光が可能になる。
【００５１】
図９は、複数の照明負荷２のうち１台の照明負荷２を個別調光した場合に、当該照明負荷２のスイッチ素子Ｑ１１のオンデューティに対する当該照明負荷２の負荷電流Ｉｂの変化をＩｂ１で示す。負荷電流Ｉｂ１は、スイッチ素子Ｑ１１のオンデューティにほぼ逆比例する。このとき、複数の照明負荷２のうち別の照明負荷２のスイッチ素子Ｑ１１のオンデューティは一定であり、この別の照明負荷２のスイッチ素子Ｑ１１のオンデューティに対する当該照明負荷２の負荷電流Ｉｂの変化をＩｂ２で示す。負荷電流Ｉｂ２は、一定値を維持する。このように、複数の照明負荷２の各負荷電流Ｉｂは互いに干渉しないので、複数の照明負荷２の個別調光が可能になる。
【００５２】
また、調光コントローラ３は、複数の照明負荷２のそれぞれに対して、無線信号として個別調光信号Ｙ１０を送信してもよい。この場合、信号受信回路Ｋ１２は、調光コントローラ３から無線信号として個別調光信号Ｙ１０を受け取る。したがって、調光コントローラ３と複数の照明負荷２との間を接続する信号線Ｗ２が不要となり、システム構成が簡略化される。この無線通信は、無線ＬＡＮ、小電力無線、または赤外線通信などによって行われる。
【００５３】
（第３変形例）
図１のように、出力電流Ｉｏを定電流制御する電源装置１の出力に複数の照明負荷２を直列接続した構成では、出力電圧Ｖｏは、複数の照明負荷２の各光源２ａの順方向電圧の和にほぼ等しくなる。したがって、照明負荷２の数が増えるほど、出力電圧Ｖｏが増加する。この結果、給電線Ｗ１の絶縁性能、及び出力電圧Ｖｏの上限値などに制約が生じる。
【００５４】
そこで、複数の照明負荷２のそれぞれは、交番回路と、電圧変換回路と、を備えることが好ましい。交番回路は、正端子Ｐ１１から負端子Ｐ１２へ流れる出力電流Ｉｏによって生じた第１直流電圧を交番電圧に変換する。電圧変換回路は、交番電圧から、第１直流電圧より大きい第２直流電圧を生成して、第２直流電圧を光源２ａへ出力する。
【００５５】
図１０は、本変形例の照明負荷２の第１構成を示しており、照明負荷２は、交番回路２０１と、電圧変換回路２０２と、を備える。交番回路２０１は、インダクタＬ３１、第１スイッチ素子Ｑ３１、第２スイッチ素子Ｑ３２、及びスイッチ制御回路Ｋ３１を備えており、所謂、並列コンバータを構成する。電圧変換回路２０２は、トランスＴｒ３１、整流回路ＤＢ３１、及びコンデンサＣ３１を備える。トランスＴｒ３１は、センタータップ（中性点）を有する一次巻線３０１、及び二次巻線３０２を備える。第１スイッチ素子Ｑ３１、第２スイッチ素子Ｑ３２は、例えばＮチャネルのエンハンスメント型のＭＯＳＦＥＴである。
【００５６】
一次巻線３０１のセンタータップは、インダクタＬ３１を介して正端子Ｐ１１に接続される。一次巻線３０１の第１端は、第１スイッチ素子Ｑ３１のドレインに接続され、第１スイッチ素子Ｑ３１のソースは、負端子Ｐ１２に接続される。一次巻線３０１の第２端は、第２スイッチ素子Ｑ３２のドレインに接続され、第２スイッチ素子Ｑ３２のソースは、負端子Ｐ１２に接続される。スイッチ制御回路Ｋ３１は、第１スイッチ素子Ｑ３１及び第２スイッチ素子Ｑ３２の各ゲート及び各ソースに接続され、第１スイッチ素子Ｑ３１及び第２スイッチ素子Ｑ３２のそれぞれをオンオフさせる。
【００５７】
スイッチ制御回路Ｋ３１は、各照明負荷２の個別の調光レベル（個別調光レベル）に応じたオンデューティのＰＷＭ信号Ｙ３１、Ｙ３２を生成する。スイッチ制御回路Ｋ３１は、ＰＷＭ信号Ｙ３１を第１スイッチ素子Ｑ３１のゲートへ出力し、ＰＷＭ信号Ｙ３２を第２スイッチ素子Ｑ３２のゲートへ出力する。第１スイッチ素子Ｑ３１は、ゲートに印加されたＰＷＭ信号Ｙ３１に応じてオンオフする。第２スイッチ素子Ｑ３２は、ゲートに印加されたＰＷＭ信号Ｙ３２に応じてオンオフする。第１スイッチ素子Ｑ３１及び第２スイッチ素子Ｑ３２がそれぞれオンオフすると、正端子Ｐ１１と負端子Ｐ１２との間に生じる直流の負荷電圧（第１直流電圧）Ｖｂ１が、一次巻線３０１の両端間に生じる交番電圧Ｖｂ２に変換される。
【００５８】
そして、本変形例では、トランスＴｒ３１の昇圧比を１より大きくすることで、出力電圧Ｖｏを抑えることができる。つまり、一次巻線３０１の第１端−センタータップ間の巻数と二次巻線３０２の巻数との比（巻数比又は昇圧比）は１より大きい。また、一次巻線３０１の第２端−センタータップ間の巻数と二次巻線３０２の巻数との比（巻数比又は昇圧比）は１より大きい。したがって、二次巻線３０２の両端間には、交番電圧Ｖｂ２が昇圧された交番電圧Ｖｂ３が誘起される。二次巻線３０２の交番電圧Ｖｂ３は、整流回路ＤＢ３１で全波整流されて、コンデンサＣ３１を充電し、コンデンサＣ３１の両端間には直流の負荷電圧（第２直流電圧）Ｖｂ４が生成される。トランスＴｒ３１の昇圧比によって、負荷電圧Ｖｂ４は、負荷電圧Ｖｂ１より大きくなる。コンデンサＣ３１の両端間には光源２ａが接続されており、光源２ａには負荷電流Ｉｂが流れる。
【００５９】
ここで、正端子Ｐ１１に流入した出力電流Ｉｏが、負端子Ｐ１２から流出するためには、第１スイッチ素子Ｑ３１及び第２スイッチ素子Ｑ３２の少なくとも一方がオンしている必要がある。
【００６０】
そこで、スイッチ制御回路Ｋ３１は、図１１のように構成される。スイッチ制御回路Ｋ３１は、コンパレータＣＰ３１、ＣＰ３２、発振器Ｋ３１１、Ｋ３１２、及び直流電圧源Ｅ３１を備える。発振器Ｋ３１１は、三角波信号Ｙ３３を出力する。発振器Ｋ３１２は、三角波信号Ｙ３４を出力する。直流電圧源Ｅ３１は、直流の目標電圧Ｖｓ４を出力する。直流電圧源Ｅ３１は、目標電圧Ｖｓ４の値を可変とすることができ、個別調光信号Ｙ１０に応じて目標電圧Ｖｓ４の値を調整する。個別調光信号Ｙ１０が指示する調光レベル（個別調光レベル）が高いほど、目標電圧Ｖｓ４の値は大きくなる。コンパレータＣＰ３１の非反転入力端子には、三角波信号Ｙ３３が入力される。コンパレータＣＰ３２の非反転入力端子には、三角波信号Ｙ３４が入力される。コンパレータＣＰ３１の反転入力端子、及びコンパレータＣＰ３２の反転入力端子には、目標電圧Ｖｓ４が入力される。コンパレータＣＰ３１は、ＰＷＭ信号Ｙ３１を出力する。コンパレータＣＰ３２は、ＰＷＭ信号Ｙ３２を出力する。
【００６１】
図１２は、三角波信号Ｙ３３、Ｙ３４、及びＰＷＭ信号Ｙ３１、Ｙ３２の各波形を示す。三角波信号Ｙ３３及び三角波信号Ｙ３４の各波高値Ｖｐは互いに同じであり、三角波信号Ｙ３３及び三角波信号Ｙ３４の各位相は、互いに１８０度ずれている。そして、常に第１スイッチ素子Ｑ３１及び第２スイッチ素子Ｑ３２の少なくとも一方をオンさせるためには、ＰＷＭ信号Ｙ３１、Ｙ３２の各オンデューティを５０%以上に設定する必要がある。そこで、目標電圧Ｖｓ４の値は、三角波信号Ｙ３３、Ｙ３４の波高値Ｖｐの１／２以下に設定される。目標電圧Ｖｓ４の値がＶｐ／２であれば、ＰＷＭ信号Ｙ３１、Ｙ３２の各オンデューティは５０％であり、出力電流Ｉｏが最大値となる。目標電圧Ｖｓ４の値がＶｐ／２から低下するにしたがって、ＰＷＭ信号Ｙ３１、Ｙ３２の各オンデューティは５０％から増加し、ＰＷＭ信号Ｙ３１、Ｙ３２の各オンデューティの重複期間がより長くなる。
【００６２】
そして、負荷電流Ｉｂ、出力電圧Ｖｏ、負荷電力、及び出力電力は、トランスＴｒ３１の昇圧比に逆比例する。また、出力電圧Ｖｏは出力電流Ｉｏに依存せず、トランスＴｒ３１の昇圧比に依存する。したがって、トランスＴｒ３１の昇圧比を１より大きくすれば、出力電圧Ｖｏを抑えることができる。
【００６３】
しかしながら、負荷電流Ｉｂを一定値にするためには、トランスＴｒ３１の昇圧比を大きくするにしたがって、出力電流Ｉｏを増加させる必要がある。
【００６４】
また、光源２ａで消費される負荷電力、及び電源装置１の出力電力は、トランスＴｒ３１の昇圧比に依存せず、負荷電流Ｉｂに依存する。
【００６５】
図１３Ａは、目標電圧Ｖｓ４の値をＶｐ／２に設定したときの、トランスＴｒ３１の昇圧比と出力電流Ｉｏとの関係、及びトランスＴｒ３１の昇圧比と負荷電流Ｉｂとの関係を示す。図１３Ａでは、負荷電流Ｉｂを一定値に維持するため、昇圧比が大きくなるにつれて、出力電流Ｉｏを大きくしている。すなわち、出力電流Ｉｏは昇圧比に比例している。
【００６６】
図１３Ｂは、目標電圧Ｖｓ４の値をＶｐ／２に設定したときの、トランスＴｒ３１の昇圧比と出力電圧Ｖｏとの関係、及びトランスＴｒ３１の昇圧比と負荷電圧Ｖｂ４との関係を示す。負荷電圧Ｖｂ４は、昇圧比に依存することなく概ね一定であるが、出力電圧Ｖｏは、昇圧比が大きくなるほど低下している。これらより、昇圧比を大きくして出力電圧Ｖｏをより低減させる場合、出力電流Ｉｏをより大きくすることで、電源装置１の出力電力を一定に保つことが可能になる。
【００６７】
図１４は、本変形例の照明負荷２の第２構成を示しており、照明負荷２は、交番回路２１１と、電圧変換回路２１２と、を備える。交番回路２１１は、インダクタＬ４１、第１スイッチ素子Ｑ４１、第２スイッチ素子Ｑ４２、第３スイッチ素子Ｑ４３、第４スイッチ素子Ｑ４４、及びスイッチ制御回路Ｋ３１を備えており、所謂、フルブリッジコンバータを構成する。電圧変換回路２１２は、トランスＴｒ４１、整流回路ＤＢ４１、及びコンデンサＣ４１を備える。トランスＴｒ４１は、一次巻線４０１、及び二次巻線４０２を備える。第１スイッチ素子Ｑ４１、第２スイッチ素子Ｑ４２、第３スイッチ素子Ｑ４３、及び第４スイッチ素子Ｑ４４は、例えばＮチャネルのエンハンスメント型のＭＯＳＦＥＴである。
【００６８】
インダクタＬ４１の一端は、正端子Ｐ１１に接続される。インダクタＬ４１の他端は、第１スイッチ素子Ｑ４１及び第３スイッチ素子Ｑ４３の各ドレインに接続される。第１スイッチ素子Ｑ４１及び第３スイッチ素子Ｑ４３の各ソースは、第２スイッチ素子Ｑ４２及び第４スイッチ素子Ｑ４４の各ドレインにそれぞれ接続される。第２スイッチ素子Ｑ４２及び第４スイッチ素子Ｑ４４の各ソースは、負端子Ｐ１２に接続される。すなわち、正端子Ｐ１１と負端子Ｐ１２との間には、第１スイッチ素子Ｑ４１及び第２スイッチ素子Ｑ４２の直列回路と、第３スイッチ素子Ｑ４３及び第４スイッチ素子Ｑ４４の直列回路とが接続されている。
【００６９】
一次巻線４０１は、第１スイッチ素子Ｑ４１のソースと第３スイッチ素子Ｑ４３のソースとの間に接続される。スイッチ制御回路Ｋ３１は、第１スイッチ素子Ｑ４１、第２スイッチ素子Ｑ４２、第３スイッチ素子Ｑ４３、及び第４スイッチ素子Ｑ４４の各ゲート及び各ソースに接続される。スイッチ制御回路Ｋ３１は、第１スイッチ素子Ｑ４１、第２スイッチ素子Ｑ４２、第３スイッチ素子Ｑ４３、及び第４スイッチ素子Ｑ４４のそれぞれをオンオフさせる。
【００７０】
スイッチ制御回路Ｋ３１は、各照明負荷２の個別の調光レベル（個別調光レベル）に応じたオンデューティのＰＷＭ信号Ｙ３１、Ｙ３２（図１２参照）を生成する。スイッチ制御回路Ｋ３１は、ＰＷＭ信号Ｙ３１を第１スイッチ素子Ｑ４１及び第４スイッチ素子Ｑ４４の各ゲートへ出力する。さらに、スイッチ制御回路Ｋ３１は、ＰＷＭ信号Ｙ３２を第２スイッチ素子Ｑ３２及び第３スイッチ素子Ｑ４３の各ゲートへ出力する。第１スイッチ素子Ｑ４１及び第４スイッチ素子Ｑ４４は、各ゲートに印加されたＰＷＭ信号Ｙ３１に応じてオンオフする。第２スイッチ素子Ｑ４２及び第３スイッチ素子Ｑ４３は、各ゲートに印加されたＰＷＭ信号Ｙ３２に応じてオンオフする。第１スイッチ素子Ｑ４１、第２スイッチ素子Ｑ４２、第３スイッチ素子Ｑ４３、及び第４スイッチ素子Ｑ４４がそれぞれオンオフすると、正端子Ｐ１１と負端子Ｐ１２との間に生じる直流の負荷電圧（第１直流電圧）Ｖｂ１１が、一次巻線４０１の両端間に生じる交番電圧Ｖｂ１２に変換される。
【００７１】
そして、本変形例は、トランスＴｒ４１の昇圧比を１より大きくすることで、出力電圧Ｖｏを抑えることができる。つまり、一次巻線４０１と二次巻線４０２との巻数比（昇圧比）は１より大きい。したがって、二次巻線４０２の両端間には、交番電圧Ｖｂ１２が昇圧された交番電圧Ｖｂ１３が誘起される。二次巻線４０２の交番電圧Ｖｂ１３は、整流回路ＤＢ４１で全波整流されて、コンデンサＣ４１を充電し、コンデンサＣ４１の両端間には直流の負荷電圧（第２直流電圧）Ｖｂ１４が生成される。トランスＴｒ４１の昇圧比によって、負荷電圧Ｖｂ１４は、負荷電圧Ｖｂ１１より大きくなる。コンデンサＣ４１の両端間には光源２ａが接続されており、光源２ａには負荷電流Ｉｂが流れる。
【００７２】
ここで、正端子Ｐ１１に流入した出力電流Ｉｏが、負端子Ｐ１２から流出するためには、第１スイッチ素子Ｑ４１及び第４スイッチ素子Ｑ４４と、第２スイッチ素子Ｑ４２及び第３スイッチ素子Ｑ４３との、少なくとも一方がオンしている必要がある。そこで、スイッチ制御回路Ｋ３１は、本変形例の照明負荷２の第１構成（図１０参照）と同様に、図１１のように構成され、図１２に示すＰＷＭ信号Ｙ３１、Ｙ３２を生成する。
【００７３】
そして、出力電圧Ｖｏは、トランスＴｒ３１の昇圧比に逆比例する。また、出力電圧Ｖｏは出力電流Ｉｏに依存せず、トランスＴｒ３１の昇圧比に依存する。したがって、トランスＴｒ３１の昇圧比を１より大きくすれば、出力電圧Ｖｏを抑えることができる。
【００７４】
（第４変形例）
図１５は、本変形例の照明負荷２の構成を示す。交番回路２２１は、インダクタＬ３１、第１スイッチ素子Ｑ３１、第２スイッチ素子Ｑ３２、スイッチ制御回路Ｋ３１、及びトランスＴｒ３２を備えており、所謂、並列コンバータを構成する。電圧変換回路２２２は、Ｎ倍電圧整流平滑回路２２３を備える。トランスＴｒ３２は、センタータップ（中性点）を有する一次巻線３１１、及び二次巻線３１２を備える。第１スイッチ素子Ｑ３１、第２スイッチ素子Ｑ３２は、例えばＮチャネルのエンハンスメント型のＭＯＳＦＥＴである。
【００７５】
本変形例のインダクタＬ３１、第１スイッチ素子Ｑ３１、第２スイッチ素子Ｑ３２、及びスイッチ制御回路Ｋ３１は、第３変形例の照明負荷２の第１構成（図１０参照）と同じである。本変形例のトランスＴｒ３２は、第３変形例のトランスＴｒ３１と同様に、インダクタＬ３１、第１スイッチ素子Ｑ３１、及び第２スイッチ素子Ｑ３２に接続されている。そして、トランスＴｒ３２の巻数比（昇圧比）は、トランスＴｒ３１の昇圧比とは異なり、１に設定されている。
【００７６】
第１スイッチ素子Ｑ３１及び第２スイッチ素子Ｑ３２がそれぞれオンオフすると、正端子Ｐ１１と負端子Ｐ１２との間に生じる直流の負荷電圧（第１直流電圧）Ｖｂ２１が、一次巻線４０１の両端間に生じる交番電圧Ｖｂ２２に変換される。そして、本変形例は、トランスＴｒ３２の昇圧比を１に設定しているので、二次巻線３１２の両端間には、交番電圧Ｖｂ２２と同じ大きさの交番電圧Ｖｂ２３が誘起される。二次巻線３１２の交番電圧Ｖｂ２３は、Ｎ倍電圧整流平滑回路２２３に入力される。
【００７７】
図１６Ａ、図１６Ｂ、図１６Ｃ、図１７Ａ、及び図１７Ｂは、Ｎ倍電圧整流平滑回路２２３の回路構成例をそれぞれ示す。なお、以降の説明では、Ｎ倍電圧整流平滑回路を、Ｎ倍回路と略称することがある。
【００７８】
図１６Ａは、２倍回路２２３Ａである。２倍回路２２３Ａでは、二次巻線３１２の両端間にダイオードＤ１０１とコンデンサＣ１０１との直列回路が接続されている。さらに、ダイオードＤ１０１とコンデンサＣ１０１との直列回路には、コンデンサＣ１０２とダイオードＤ１０２との直列回路が並列接続されている。そして、二次巻線３１２の交番電圧Ｖｂ２３の正電圧をダイオードＤ１０１とコンデンサＣ１０１とで整流平滑し、交番電圧Ｖｂ２３の負電圧をダイオードＤ１０２とコンデンサＣ１０２とで整流平滑する。そして、直列接続されたコンデンサＣ１０１、Ｃ１０２の各電圧の和が、直流の負荷電圧（第２直流電圧）Ｖｂ２４として光源２ａへ出力される。負荷電圧Ｖｂ２４の大きさは、負荷電圧Ｖｂ２１の大きさの２倍になる。
【００７９】
図１６Ｂは、２倍回路２２３Ｂである。２倍回路２２３Ｂでは、二次巻線３１２の両端間にコンデンサＣ１１１とダイオードＤ１１１との直列回路が接続されている。さらに、ダイオードＤ１１１には、ダイオードＤ１１２とコンデンサＣ１１２との直列回路が並列接続されている。そして、交番電圧Ｖｂ２３の正電圧をダイオードＤ１１２で整流し、コンデンサＣ１１２を充電する。さらに、交番電圧Ｖｂ２３の負電圧をダイオードＤ１１１で整流し、コンデンサＣ１１１を充電する。そして、コンデンサＣ１１２の両端間に直流の負荷電圧（第２直流電圧）Ｖｂ２４が生成される。負荷電圧Ｖｂ２４の大きさは、ダイオードＤ１１１のアノードの電位が正にレベルシフトすることで、負荷電圧Ｖｂ２１の大きさの２倍になる。
【００８０】
図１６Ｃは、３倍回路２２３Ｃである。３倍回路２２３Ｃでは、二次巻線３１２の両端間にダイオードＤ１２１とコンデンサＣ１２１との直列回路が接続されている。ダイオードＤ１２１には、ダイオードＤ１２２とコンデンサＣ１２２との直列回路が並列接続されている。ダイオードＤ１２２には、ダイオードＤ１２３とコンデンサＣ１２３との直列回路が並列接続されている。すなわち、３倍回路２２３Ｃは、半波整流回路に２倍回路を追加した構成になる。３倍回路２２３Ｃでは、直列接続されたコンデンサＣ１２３、Ｃ１２１の各電圧の和が、直流の負荷電圧（第２直流電圧）Ｖｂ２４として光源２ａへ出力される。負荷電圧Ｖｂ２４の大きさは、負荷電圧Ｖｂ２１の大きさの３倍になる。
【００８１】
図１７Ａは、４倍回路２２３Ｄである。４倍回路２２３Ｄでは、二次巻線３１２の両端間にコンデンサＣ１３１とダイオードＤ１３１との直列回路が接続されている。ダイオードＤ１３１には、ダイオードＤ１３２とコンデンサＣ１３２との直列回路が並列接続されている。ダイオードＤ１３２には、ダイオードＤ１３３とコンデンサＣ１３３との直列回路が並列接続されている。ダイオードＤ１３３には、ダイオードＤ１３４とコンデンサＣ１３４との直列回路が並列接続されている。４倍回路２２３Ｄでは、直列接続されたコンデンサＣ１３４、Ｃ１３２の各電圧の和が、直流の負荷電圧（第２直流電圧）Ｖｂ２４として光源２ａへ出力される。負荷電圧Ｖｂ２４の大きさは、負荷電圧Ｖｂ２１の大きさの４倍になる。
【００８２】
図１７Ｂは、５倍回路２２３Ｅである。５倍回路２２３Ｅでは、二次巻線３１２の両端間にコンデンサＣ１４１とダイオードＤ１４１とコンデンサＣ１４２との直列回路が接続されている。ダイオードＤ１４１には、ダイオードＤ１４２とコンデンサＣ１４３との直列回路が並列接続されている。ダイオードＤ１４２には、ダイオードＤ１４３とコンデンサＣ１４５との直列回路が並列接続されている。ダイオードＤ１４３には、ダイオードＤ１４４とコンデンサＣ１４４との直列回路が並列接続されている。ダイオードＤ１４４には、ダイオードＤ１４５とコンデンサＣ１４６との直列回路が並列接続されている。５倍回路２２３Ｅでは、直列接続されたコンデンサＣ１４６、Ｃ１４５、Ｃ１４２の各電圧の和が、直流の負荷電圧（第２直流電圧）Ｖｂ２４として光源２ａへ出力される。負荷電圧Ｖｂ２４の大きさは、負荷電圧Ｖｂ２１の大きさの５倍になる。
【００８３】
Ｎ倍回路２２３によって、負荷電圧Ｖｂ２４の大きさを負荷電圧Ｖｂ２１の大きさのＮ倍（Ｎは１より大きい）にすることによって、トランスの昇圧比を１より大きくした場合と同様に、出力電圧Ｖｏを抑えることができる。
【００８４】
（第５変形例）
第４変形例（図１５参照）では、トランスＴｒ３２を用いているが、トランスＴｒ３２の絶縁機能が必要でなければ、トランスＴｒ３２の二次巻線３１２は不要である。図１８は、本変形例の照明負荷２の構成を示しており、図１５のトランスＴｒ３２の二次巻線３１２を省略した構成に相当する。交番回路２２１は、トランスＴｒ３２の代わりに、センタータップを有するチョークコイルＬ３２を備える。チョークコイルＬ３２の第１端は、第１スイッチ素子Ｑ３１のドレインに接続され、チョークコイルＬ３２の第２端は、第２スイッチ素子Ｑ３２のドレインに接続される。本変形例は、トランスＴｒ３２の二次巻線３１２を除去し、一次巻線３１１の両端間にＮ倍回路２２３を設けた構成とも言える。
【００８５】
第１スイッチ素子Ｑ３１及び第２スイッチ素子Ｑ３２がそれぞれオンオフすると、正端子Ｐ１１と負端子Ｐ１２との間に生じる直流の負荷電圧（第１直流電圧）Ｖｂ３１が、チョークコイルＬ３２の両端間に生じる交番電圧Ｖｂ３２に変換される。チョークコイルＬ３２の交番電圧Ｖｂ３２は、Ｎ倍回路２２３に入力される。Ｎ倍回路２２３は、交番電圧Ｖｂ３２を整流及び平滑したＮ倍の電圧を、直流の負荷電圧（第２直流電圧）Ｖｂ３３として光源２ａへ出力する。負荷電圧Ｖｂ３３の大きさは、負荷電圧Ｖｂ３１の大きさのＮ倍になる。
【００８６】
したがって、Ｎ倍回路２２３によって、負荷電圧Ｖｂ３３の大きさを負荷電圧Ｖｂ３１の大きさのＮ倍（Ｎは１より大きい）にすることによって、トランスの昇圧比を１より大きくした場合と同様に、出力電圧Ｖｏを抑えることができる。
【００８７】
さらに、第４変形例のＮ倍回路２２３の倍数ＮをＮ１とした場合の出力電圧Ｖｏの抑制効果と、本変形例のＮ倍回路２２３の倍数ＮをＮ１／２とした場合の出力電圧Ｖｏの抑制効果とは同じになる。
【００８８】
（第６変形例）
第５変形例（図１８参照）では、センタータップを有して磁気結合されたチョークコイルＬ３２を用いている。しかしながら、図１９に示すように、チョークコイルＬ３２の代わりに、磁気結合していない２つのインダクタとして、第１インダクタＬ３３及び第２インダクタＬ３４を用いてもよい。
【００８９】
第１インダクタＬ３３は、正端子Ｐ１１と負端子Ｐ１２との間で、第１スイッチ素子Ｑ３１に直列接続されている。第２インダクタＬ３４は、正端子Ｐ１１と負端子Ｐ１２との間で、第２スイッチ素子Ｑ３２に直列接続されている。
【００９０】
第１スイッチ素子Ｑ３１及び第２スイッチ素子Ｑ３２がそれぞれオンオフすると、正端子Ｐ１１と負端子Ｐ１２との間に生じる直流の負荷電圧（第１直流電圧）Ｖｂ４１が、第１スイッチ素子Ｑ３１及び第２スイッチ素子Ｑ３２の各ドレイン間に生じる交番電圧Ｖｂ４２に変換される。交番電圧Ｖｂ４２は、Ｎ倍回路２２３に入力される。Ｎ倍回路２２３は、交番電圧Ｖｂ４２を整流及び平滑したＮ倍の電圧を、直流の負荷電圧（第２直流電圧）Ｖｂ４３として光源２ａへ出力する。負荷電圧Ｖｂ４３の大きさは、負荷電圧Ｖｂ４１の大きさのＮ倍になる。
【００９１】
したがって、Ｎ倍回路２２３によって、負荷電圧Ｖｂ４３の大きさを負荷電圧Ｖｂ４１の大きさのＮ倍（Ｎは１より大きい）にすることによって、トランスの昇圧比を１より大きくした場合と同様に、出力電圧Ｖｏを抑えることができる。
【００９２】
さらに、第４変形例のＮ倍回路２２３の倍数ＮをＮ１とした場合の出力電圧Ｖｏの抑制効果と、本変形例のＮ倍回路２２３の倍数ＮをＮ１／２とした場合の出力電圧Ｖｏの抑制効果とは同じになる。
【００９３】
（第７変形例）
図２０は、本変形例の電源装置１の構成を示す。電源装置１は、コンバータ１２の出力に接続された信号生成回路１８を備える。信号生成回路１８は、コンバータ１２の出力電圧Ｖｏの値を第１値Ｖｏ１及び第２値Ｖｏ２のいずれかに調整する。信号生成回路１８は、個別調光レベルの指示を伝送データとして含む個別調光信号Ｙ１０を、調光コントローラ３などの外部機器から受け取ることができる。信号生成回路１８は、図２２Ａに示すように、個別調光信号Ｙ１０に基づいて出力電圧Ｖｏの値を第１値Ｖｏ１及び第２値Ｖｏ２のいずれかに変化させる。すなわち、信号生成回路１８は、個別調光信号Ｙ１０に基づいて、照明負荷２を個別に制御する伝送データを含む２値の伝送信号を照明負荷２へ送信する（ベースバンド伝送）。信号生成回路１８は、予め決められた周期Ｔｓ毎に出力電圧Ｖｏを第１値Ｖｏ１及び第２値Ｖｏ２のいずれかに設定することで、周期Ｔｓ毎にビット情報（ビット値）を含む伝送信号を送信する。伝送信号は、２値の信号であり、出力電圧Ｖｏの値がＶｏ１であればビット情報「１」を表し、出力電圧Ｖｏの値がＶｏ２であればビット情報「０」を表す。すなわち、伝送データは、「１」又は「０」を表す複数のビット情報が時系列に沿ってそれぞれ送信されるビット列である。なお、第１値Ｖｏ１＞０、かつ、第２値Ｖｏ２＞０であり、第１値Ｖｏ１及び第２値Ｖｏ２の大小関係は、Ｖｏ１＞Ｖｏ２となる。また、個別調光信号Ｙ１０の代わりに、照明負荷２の調色状態を変更する個別調色信号などであってもよい。
【００９４】
図２１は、本変形例の照明負荷２の構成を示す。照明負荷２は、信号取得部Ｋ１３を備える。信号取得部Ｋ１３は、正端子Ｐ１１と負端子Ｐ１２との間の電圧である負荷電圧Ｖｂ５に基づいて、出力電圧Ｖｏの値がＶｏ１及びＶｏ２のいずれであるかを判別することで、伝送信号を復調する。
【００９５】
具体的に、信号取得部Ｋ１３は、負荷電圧Ｖｂ５を監視しており、負荷電圧Ｖｂ５の電圧値を閾値と比較することで、出力電圧Ｖｏの値がＶｏ１及びＶｏ２のいずれであるかを判別して、伝送信号から伝送データを読み取る。出力電圧Ｖｏの変化は、負荷電圧Ｖｂ５の変化に反映されるので、負荷電圧Ｖｂ５の値を判別することは、出力電圧Ｖｏの値を判別することと同義である。つまり、信号取得部Ｋ１３は、負荷電圧Ｖｂ５の値の変化を検出して伝送データ（個別調光レベルの指示）を取得できる。そして、信号取得部Ｋ１３は、伝送データをスイッチ制御回路Ｋ１１へ出力するように構成されている。スイッチ制御回路Ｋ１１は、伝送データに基づいて、各照明負荷２の個別の調光レベル（個別調光レベル）に応じたオンデューティのＰＷＭ信号Ｙ１１をスイッチ素子Ｑ１１のゲートへ出力する。
【００９６】
例えば、信号取得部Ｋ１３は、負荷電圧Ｖｂ５の電圧値が閾値以上であればビット情報を「１」と判別し、負荷電圧Ｖｂ５の電圧値が閾値未満であればビット情報を「０」と判別する。そして、信号取得部Ｋ１３は、読み取った複数のビット情報（ビット列）からなる伝送データに基づいて、指示された個別調光レベルを認識できる。
【００９７】
しかしながら、図２２Ｂ及び図２２Ｃに示すように、ノイズなどの原因によって、出力電圧Ｖｏにサージ状の電圧変動が生じることがある。図２２Ｂでは、ビット情報「１」に対応する期間に、出力電圧Ｖｏにサージ状の電圧変動Ｆ１（下降方向の電圧変動）が２回生じている。図２２Ｃでは、ビット情報「０」に対応する期間に、出力電圧Ｖｏにサージ状の電圧変動Ｆ２（上昇方向の電圧変動）が２回生じている。このように、サージ状の電圧変動Ｆ１、Ｆ２によって、出力電圧Ｖｏの波形が劣化してしまう。この結果、信号取得部Ｋ１３は、図２２Ｂのビット情報「１」に対応する期間に、ビット情報を「０」と誤判別する可能性がある。また、信号取得部Ｋ１３は、図２２Ｃのビット情報「０」に対応する期間に、ビット情報を「１」と誤判別する可能性がある。
【００９８】
そこで、信号取得部Ｋ１３は、周期Ｔｓ毎に３以上の奇数回の検出処理を行い、多数決によってビット情報を「０」又は「１」と判別する。
【００９９】
具体的に、信号取得部Ｋ１３は、伝送信号に含まれる同期用のビット列などによって、伝送信号の周期Ｔｓと同期できる。そして、信号取得部Ｋ１３は、周期Ｔｓを検出期間とし、図２３Ａ及び図２３Ｂに示すように、周期Ｔｓ毎に、３回の検出タイミングｔ１、ｔ２、ｔ３のそれぞれにおいてビット情報の検出処理を行う。検出タイミングｔ１は、周期Ｔｓの開始タイミングｔ０から時間Ｔ１が経過したタイミングである。検出タイミングｔ２は、検出タイミングｔ１から時間Ｔ２が経過したタイミングである。検出タイミングｔ３は、検出タイミングｔ２から時間Ｔ３が経過したタイミングである。
【０１００】
信号取得部Ｋ１３は、ビット情報の検出処理として、負荷電圧Ｖｂ５の電圧値を閾値Ｖｒと比較する。信号取得部Ｋ１３は、負荷電圧Ｖｂ５の電圧値が閾値Ｖｒ以上であれば、ビット情報「１」を検出する。信号取得部Ｋ１３は、負荷電圧Ｖｂ５の電圧値が閾値Ｖｒ未満であれば、ビット情報「０」を検出する。なお、図２３Ａ及び図２３Ｂは、負荷電圧Ｖｂ５の波形をそれぞれ表しており、負荷電圧Ｖｂ５１は、出力電圧Ｖｏの第１値Ｖｏ１に対応し、負荷電圧値Ｖｂ５２は、出力電圧Ｖｏの第２値Ｖｏ２に対応する。すなわち、Ｖｂ５１＞０、かつ、Ｖｂ５２＞０であり、Ｖｂ５１及びＶｂ５２の大小関係は、Ｖｂ５１＞Ｖｂ５２となる。
【０１０１】
そして、信号取得部Ｋ１３は、周期Ｔｓ毎に、３回の検出タイミングｔ１、ｔ２、ｔ３の各検出結果から、多数決によってビット情報を「０」又は「１」と判別する。
【０１０２】
図２３Ａは、ビット情報「０」に対応する周期Ｔｓにおける負荷電圧Ｖｂ５の波形を表している。図２３Ａでは、サージ状の電圧変動Ｆ２が２回発生している。そして、信号取得部Ｋ１３は、検出タイミングｔ１においてビット情報「１」を検出し、検出タイミングｔ２においてビット情報「０」を検出し、検出タイミングｔ３においてビット情報「０」を検出する。したがって、信号取得部Ｋ１３は、多数決によって当該周期Ｔｓのビット情報は「０」であると正常に判別できる。
【０１０３】
図２３Ｂは、ビット情報「１」に対応する周期Ｔｓにおける負荷電圧Ｖｂ５の波形を表している。図２３Ｂでは、サージ状の電圧変動Ｆ１が２回発生している。そして、信号取得部Ｋ１３は、検出タイミングｔ１においてビット情報「１」を検出し、検出タイミングｔ２においてビット情報「１」を検出し、検出タイミングｔ３においてビット情報「０」を検出する。したがって、信号取得部Ｋ１３は、多数決によって当該周期Ｔｓのビット情報は「１」であると正常に判別できる。
【０１０４】
したがって、信号取得部Ｋ１３は、伝送信号を含む出力電圧Ｖｏの波形がノイズ等によって劣化したとしても、ビット情報の誤判別を抑制することができる。すなわち、信号取得部Ｋ１３のノイズ耐性を向上させることができる。
【０１０５】
３回の検出タイミングｔ１、ｔ２、ｔ３を決める時間Ｔ１、Ｔ２、Ｔ３は、互いに同じ時間長さであってもよい。この場合、３回の検出タイミングｔ１、ｔ２、ｔ３は互いに同じ時間間隔で発生する。
【０１０６】
また、３回の検出タイミングｔ１、ｔ２、ｔ３を決める時間Ｔ１、Ｔ２、Ｔ３は、異なる時間長さであってもよい。この場合、３回の検出タイミングｔ１、ｔ２、ｔ３は互いに異なる時間間隔で発生する。
【０１０７】
また、時間Ｔ１と、時間Ｔ２、Ｔ３とが異なる時間長さであってもよい。
【０１０８】
また、信号取得部Ｋ１３は、周期Ｔｓのそれぞれにおいて、周期Ｔｓの開始タイミングｔ０における負荷電圧Ｖｂ５に応じて、時間Ｔ１の長さを決定することが好ましい。例えば、周期Ｔｓの開始タイミングｔ０における負荷電圧Ｖｂ５の値がＶｂ５１であるときの時間Ｔ１は、周期Ｔｓの開始タイミングｔ０における負荷電圧Ｖｂ５の値がＶｂ５２であるときの時間Ｔ１よりも長くなる。
【０１０９】
また、閾値Ｖｒは、負荷電圧Ｖｂ５の値Ｖｂ５１及びＶｂ５２の平均値であることが好ましい。すなわち、Ｖｒ＝（Ｖｂ５１＋Ｖｂ５２）／２となる。
【０１１０】
以下、閾値ＶｒがＶｂ５１及びＶｂ５１の平均値であるとして、説明する。
【０１１１】
図２４Ａは、照明負荷２の消費電力値が標準値である標準負荷時における負荷電圧Ｖｂ５の波形を示す。標準負荷時の負荷電圧Ｖｂ５では、値Ｖｏ５１から値Ｖｂ５２に立ち下がるときの傾き（立下りの傾き）の絶対値と、値Ｖｏ５２から値Ｖｂ５１に立ち上がるときの傾き（立上りの傾き）の絶対値とが等しく（又はほぼ等しく）なる。すなわち、標準負荷時の負荷電圧Ｖｂ５では、負荷電圧Ｖｂ５の値が閾値Ｖｒ以上になるＨ期間Ｔ１１の時間長さと、負荷電圧Ｖｂ５の値が閾値Ｖｒ未満になるＬ期間Ｔ１２の時間長さとが同じ（又はほぼ同じ）になる。したがって、標準負荷時では、信号取得部Ｋ１３は、ビット情報「０」が２つ以上連続する場合及びビット情報「１」が２つ以上連続する場合でも、周期Ｔｓを検出期間として用いて、周期Ｔｓ毎に判別処理を行うことができる。
【０１１２】
しかしながら、照明負荷２の消費電力値が標準値より小さくなったり、標準値より大きくなったりすると、Ｈ期間Ｔ１１の時間長さとＬ期間Ｔ１２の時間長さとが異なってしまう。
【０１１３】
図２４Ｂは、照明負荷２の消費電力値が標準値より小さくなる軽負荷時における負荷電圧Ｖｂ５の波形を示す。軽負荷時の負荷電圧Ｖｂ５では、立下りの傾きの絶対値が立上りの傾きの絶対値より小さく（緩やかに）なる。すなわち、軽負荷時の負荷電圧Ｖｂ５は、Ｈ期間Ｔ１１の時間長さが、Ｌ期間Ｔ１２の時間長さより長くなる。図２４Ｃは、照明負荷２の消費電力値が標準値より大きくなる重負荷時における負荷電圧Ｖｂ５の波形を示す。重負荷時の負荷電圧Ｖｂ５では、立下りの傾きの絶対値が立上りの傾きの絶対値より大きく（急峻に）なる。すなわち、重負荷時の負荷電圧Ｖｂ５は、Ｈ期間Ｔ１１の時間長さが、Ｌ期間Ｔ１２の時間長さより短くなる。したがって、軽負荷時及び重負荷時では、信号取得部Ｋ１３は、ビット情報「０」が２つ以上連続する場合及びビット情報「１」が２つ以上連続する場合、周期Ｔｓを検出期間として用いて正常な判別処理を行うことが困難になる。
【０１１４】
そこで、信号生成回路１８は、伝送信号に測定用ビット列を含める。信号取得部Ｋ１３は、伝送信号に含まれる測定用ビット列に対応する負荷電圧Ｖｂ５の検出結果に基づいて、Ｈ期間Ｔ１１及びＬ期間Ｔ１２の各時間長さをそれぞれ検出する。そして、信号取得部Ｋ１３は、Ｈ期間Ｔ１１の時間長さを第１検出期間の時間長さとする。また、信号取得部Ｋ１３は、Ｌ期間Ｔ１２の時間長さを第２検出期間の時間長さとする。
【０１１５】
信号取得部Ｋ１３は、第１検出期間において、３以上の奇数回の検出処理を行い、多数決によってビット情報を「０」又は「１」と判別する。また、信号取得部Ｋ１３は、第２検出期間において、３以上の奇数回の検出処理を行い、多数決によってビット情報を「０」又は「１」と判別する。したがって、信号取得部Ｋ１３は、軽負荷時及び重負荷時であっても、正常な判別処理を行うことができる。
【０１１６】
図２５は、伝送信号の第１例として、伝送信号Ｓ１を示す。伝送信号Ｓ１は、３ビットの測定用ビット列Ｂ１、１ビットのスタートビットＢ２、１０ビットのメインビット列Ｂ３、及び１ビットのストップビットＢ４を時系列に沿って順に含む。すなわち、測定用ビット列Ｂ１は、伝送信号Ｓ１の先頭に設けられることが好ましい。
【０１１７】
３ビットの測定用ビット列Ｂ１では、出力電圧Ｖｏの値が、第１値Ｖｏ１又は第２値Ｖｏ２に周期Ｔｓ毎に交互に切り換えられる。図２５の測定用ビット列Ｂ１では、出力電圧Ｖｏの値が、第２値Ｖｏ２、第１値Ｖｏ１、第２値Ｖｏ２の順に切り換えられる。信号取得部Ｋ１３は、伝送信号Ｓ１に含まれる測定用ビット列Ｂ１に対応する負荷電圧Ｖｂ５の検出結果に基づいて、Ｈ期間Ｔ１１及びＬ期間Ｔ１２の各時間長さをそれぞれ検出する。
【０１１８】
スタートビットＢ２は、伝送データの送信開始を信号取得部Ｋ１３へ通知する。メインビット列Ｂ３は、伝送データを表す。ストップビットＢ４は、伝送データの送信終了を信号取得部Ｋ１３へ通知する。
【０１１９】
図２６は、伝送信号の第２例として、伝送信号Ｓ２を示す。伝送信号Ｓ２は、３ビットの測定用ビット列Ｂ１、１０ビットのメインビット列Ｂ３、１ビットのパリティビットＢ５、及び１ビットのストップビットＢ４を時系列に沿って順に含む。すなわち、測定用ビット列Ｂ１は、伝送信号Ｓ２の先頭に設けられることが好ましい。伝送信号Ｓ２では、測定用ビット列Ｂ１がスタートビットの機能を兼用する。そして、信号取得部Ｋ１３は、パリティビットＢ５によって、データの誤りの有無を検出できる。
【０１２０】
また、信号生成回路１８は、出力電圧Ｖｏの波形に基づいて、第１値Ｖｏ１及び第２値Ｖｏ２の少なくとも一方を可変とすることが好ましい。出力電圧Ｖｏの波形として、図２４ＢのようにＨ期間Ｔ１１の時間長さがＬ期間Ｔ１２の時間長さより長ければ、第１値Ｖｏ１を現状より小さくする、又は第２値Ｖｏ２を現状より大きくする。出力電圧Ｖｏの波形として、図２４ＣのようにＨ期間Ｔ１１の時間長さがＬ期間Ｔ１２の時間長さより短ければ、第１値Ｖｏ１を現状より大きくする、又は第２値Ｖｏ２を現状より小さくする。このように、信号生成回路１８は、出力電圧Ｖｏの波形に基づいて、Ｈ期間Ｔ１１及びＬ期間Ｔ１２の各時間長さを調整できる。
【０１２１】
以上のように、実施形態に係る第１の態様の照明システム（Ａ１）は、負荷ブロック（２０）と、電源装置（１）と、を備える。負荷ブロック（２０）は、直列接続された複数の照明負荷（２）を有する。電源装置（１）は、直流電力を出力する一対の出力端子（Ｐ３、Ｐ４）を有して、一対の出力端子（Ｐ３、Ｐ４）間に負荷ブロック（２０）を接続し、直流の出力電流（Ｉｏ）を負荷ブロック（２０）へ供給する。複数の照明負荷（２）は、出力電流（Ｉｏ）が流入する正端子（Ｐ１１）、出力電流（Ｉｏ）が流出する負端子（Ｐ１２）、及び少なくとも１つの固体発光素子を含む光源（２ａ）をそれぞれ有する。光源（２ａ）は、正端子（Ｐ１１）から負端子（Ｐ１２）へ流れる出力電流（Ｉｏ）によって点灯する。電源装置（１）は、出力電流（Ｉｏ）を調整する機能を有する。
【０１２２】
上述の照明システム（Ａ１）は、複数の照明負荷（２）を一括調光でき、かつ、複数の照明負荷（２）の数が増えても出力電流（Ｉｏ）を抑制できる。
【０１２３】
実施形態に係る第２の態様の照明システム（Ａ１）では、第１の態様において、電源装置（１）は、コンバータ（１２）と、電流検出部（１３）と、フィードバック制御回路（１４）と、を備えることが好ましい。コンバータ（１２）は、入力電圧（Ｖｉ）を入力され、入力電圧（Ｖｉ）を電力変換して出力電流（Ｉｏ）を生成する。電流検出部（１３）は、出力電流（Ｉｏ）を検出する。フィードバック制御回路（１４）は、電流検出部（１３）が検出した出力電流（Ｉｏ）の値が目標電流値に一致するように、コンバータ（１２）を制御し、目標電流値を可変とする。
【０１２４】
上述の照明システム（Ａ１）は、複数の照明負荷（２）を一括調光でき、かつ、複数の照明負荷（２）の数が増えても出力電流（Ｉｏ）を抑制できる。
【０１２５】
実施形態に係る第３の態様の照明システム（Ａ１）では、第１の態様において、電源装置（１）は、コンバータ（１５）と、電流検出部（１６）と、電流調整回路（１７）と、を備えることが好ましい。コンバータ（１５）は、入力電圧（Ｖｉ）を入力され、入力電圧（Ｖｉ）を直流電圧（Ｖｏ）に変換し、一対の出力端子（Ｐ３、Ｐ４）の間に直流電圧（Ｖｏ）を印加する。電流検出部（１６）は、出力電流（Ｉｏ）を検出する。電流調整回路（１７）は、出力電流（Ｉｏ）が流れる主電路（Ｗ１０）に設けられて、出力電流（Ｉｏ）の値を目標電流値に一致させ、目標電流値を可変とする。コンバータ（１５）は、主電路（Ｗ１０）における電流調整回路（１７）の両端電圧の値が予め決められた所定値に一致するように、直流電圧（Ｖｏ）を調整する。
【０１２６】
上述の照明システム（Ａ１）は、複数の照明負荷（２）を一括調光でき、かつ、複数の照明負荷（２）の数が増えても出力電流（Ｉｏ）を抑制できる。
【０１２７】
実施形態に係る第４の態様の照明システム（Ａ１）では、第１乃至第３の態様のいずれか一つにおいて、複数の照明負荷（２）のそれぞれは、スイッチ素子（Ｑ１１）と、スイッチ制御回路（Ｋ１１）と、をさらに備えることが好ましい。スイッチ素子（Ｑ１１）は、光源（２ａ）を含む負荷電路（Ｗ２０）に並列接続される。スイッチ制御回路（Ｋ１１）は、スイッチ素子（Ｑ１１）のオンデューティを制御することで光源（２ａ）を調光する。
【０１２８】
上述の照明システム（Ａ１）は、複数の照明負荷（２）をさらに個別調光できる。
【０１２９】
実施形態に係る第５の態様の照明システム（Ａ１）では、第４の態様において、負荷電路（Ｗ２０）は、光源（２ａ）、及びダイオード（Ｄ１１）の直列回路を含むことが好ましい。
【０１３０】
上述の照明システム（Ａ１）は、複数の照明負荷（２）を個別調光できる。
【０１３１】
実施形態に係る第６の態様の照明システム（Ａ１）では、第４又は第５の態様において、複数の照明負荷（２）のそれぞれは、外部機器（３）から信号線（Ｗ２）を介して個別調光信号（Ｙ１０）を受け取る信号受信回路（Ｋ１２）を備えることが好ましい。スイッチ制御回路（Ｋ１１）は、個別調光信号（Ｙ１０）に基づいて、オンデューティを制御する。
【０１３２】
上述の照明システム（Ａ１）は、有線通信を用いて、複数の照明負荷（２）を個別調光できる。
【０１３３】
実施形態に係る第７の態様の照明システム（Ａ１）では、第４又は第５の態様において、複数の照明負荷（２）のそれぞれは、外部機器（３）から無線信号として個別調光信号（Ｙ１０）を受け取る信号受信回路（Ｋ１２）を備えることが好ましい。スイッチ制御回路（Ｋ１１）は、個別調光信号（Ｙ１０）に基づいて、オンデューティを制御する。
【０１３４】
上述の照明システム（Ａ１）は、無線通信を用いて、複数の照明負荷（２）を個別調光できる。
【０１３５】
実施形態に係る第８の態様の照明システム（Ａ１）では、第１乃至第５の態様のいずれか一つにおいて、複数の照明負荷（２）のそれぞれは、交番回路（２０１、２１１、２２１）と、電圧変換回路（２０２、２１２、２２２）と、を備えることが好ましい。交番回路（２０１、２１１、２２１）は、正端子（Ｐ１１）から負端子（Ｐ１２）へ流れる出力電流（Ｉｏ）によって生じた第１直流電圧（Ｖｂ１、Ｖｂ１１、Ｖｂ２１、Ｖｂ３１、Ｖｂ４１）を交番電圧（Ｖｂ２、Ｖｂ１２、Ｖｂ２３、Ｖｂ３２、Ｖｂ４２）に変換する。電圧変換回路（２０２、２１２、２２２）は、交番電圧（Ｖｂ２、Ｖｂ１２、Ｖｂ２３、Ｖｂ３２、Ｖｂ４２）から、第１直流電圧（Ｖｂ１、Ｖｂ１１、Ｖｂ２１、Ｖｂ３１、Ｖｂ４１）より大きい第２直流電圧（Ｖｂ４、Ｖｂ１４、Ｖｂ２４、Ｖｂ３３、Ｖｂ４３）を生成して、第２直流電圧（Ｖｂ４、Ｖｂ１４、Ｖｂ２４、Ｖｂ３３、Ｖｂ４３）を光源（２ａ）へ出力する。
【０１３６】
上述の照明システム（Ａ１）は、複数の照明負荷（２）の数が増えても、出力電圧（Ｖｏ）を抑えることができる。
【０１３７】
実施形態に係る第９の態様の照明システム（Ａ１）では、第８の態様において、電圧変換回路（２０２、２１２）は、トランス（Ｔｒ３１、Ｔｒ４１）と、整流回路（ＤＢ３１、ＤＢ４１）と、を備えることが好ましい。トランス（Ｔｒ３１、Ｔｒ４１）は、一次巻線（３０１、４０１）及び二次巻線（３０２、４０２）を有し、一次巻線（３０１、４０１）に対する二次巻線（３０２、４０２）の巻数比が１より大きい。整流回路（ＤＢ３１、ＤＢ４１）は、トランス（Ｔｒ３１、Ｔｒ４１）の二次巻線（３０２、４０２）に誘起された電圧（Ｖｂ３、Ｖｂ１３）を整流する。交番回路（２０１、２１１）は、一次巻線（３０１、４０１）に交番電圧（Ｖｂ２、Ｖｂ１２）を印加する。
【０１３８】
上述の照明システム（Ａ１）は、複数の照明負荷（２）の数が増えても、出力電圧（Ｖｏ）を抑えることができる。
【０１３９】
実施形態に係る第１０の態様の照明システム（Ａ１）では、第９の態様において、一次巻線（３０１）は、第１端、第２端、及び前記第１端と前記第２端との間に設けられたセンタータップを有することが好ましい。センタータップはインダクタ（Ｌ３１）を介して正端子（Ｐ１１）に接続される。交番回路（２０１）は、第１端と負端子（Ｐ１２）との間に接続された第１スイッチ素子（Ｑ３１）、及び第２端と負端子（Ｐ１２）との間に接続された第２スイッチ素子（Ｑ３２）を有する。第１スイッチ素子（Ｑ３１）及び第２スイッチ素子（Ｑ３２）は、第１スイッチ素子（Ｑ３１）及び第２スイッチ素子（Ｑ３２）の少なくとも一方がオンするように、それぞれオンオフする。
【０１４０】
上述の照明システム（Ａ１）は、複数の照明負荷（２）の数が増えても、出力電圧（Ｖｏ）を抑えることができる。
【０１４１】
実施形態に係る第１１の態様の照明システム（Ａ１）では、第９の態様において、交番回路（２１１）は、正端子（Ｐ１１）と負端子（Ｐ１２）との間に直列接続された第１スイッチ素子（Ｑ４１）及び第２スイッチ素子（Ｑ４２）と、正端子（Ｐ１１）と負端子（Ｐ１２）との間に直列接続された第３スイッチ素子（Ｑ４３）及び第４スイッチ素子（Ｑ４４）とを備えることが好ましい。第１スイッチ素子（Ｑ４１）及び第３スイッチ素子（Ｑ４３）は、正端子（Ｐ１１）に接続される。第２スイッチ素子（Ｑ４２）及び第４スイッチ素子（Ｑ４４）は、負端子（Ｐ１２）に接続される。一次巻線（４０１）は、第１スイッチ素子（Ｑ４１）及び第２スイッチ素子（Ｑ４２）の接続点と第３スイッチ素子（Ｑ４３）及び第４スイッチ素子（Ｑ４４）の接続点との間に接続される。第１スイッチ素子（Ｑ４１）及び第４スイッチ素子（Ｑ４４）と第２スイッチ素子（Ｑ４２）及び第３スイッチ素子（Ｑ４３）とは、第１スイッチ素子（Ｑ４１）及び第４スイッチ素子（Ｑ４４）と第２スイッチ素子（Ｑ４２）及び第３スイッチ素子（Ｑ４３）との少なくとも一方がオンするように、それぞれオンオフする。
【０１４２】
上述の照明システム（Ａ１）は、複数の照明負荷（２）の数が増えても、出力電圧（Ｖｏ）を抑えることができる。
【０１４３】
実施形態に係る第１２の態様の照明システム（Ａ１）では、第８の態様において、交番回路（２２１）は、一次巻線（３１１）及び二次巻線（３１２）を有するトランス（Ｔｒ３２）を備えて、二次巻線（３１２）に交番電圧（Ｖｂ２３）を誘起することが好ましい。電圧変換回路（２２２）は、交番電圧（Ｖｂ２３）を正の整数倍にして整流及び平滑するＮ倍電圧整流平滑回路（２２３）を備えることが好ましい。
【０１４４】
上述の照明システム（Ａ１）は、複数の照明負荷（２）の数が増えても、出力電圧（Ｖｏ）を抑えることができる。
【０１４５】
実施形態に係る第１３の態様の照明システム（Ａ１）では、第８の態様において、交番回路（２２１）は、チョークコイル（Ｌ３２）と、第１スイッチ素子（Ｑ３１）と、第２スイッチ素子（Ｑ３２）と、を備えることが好ましい。チョークコイル（Ｌ３２）は、第１端及び第２端を有する。第１スイッチ素子（Ｑ３１）は、第１端と負端子（Ｐ１２）との間に接続される、第２スイッチ素子（Ｑ３２）は、第２端と負端子（Ｐ１２）との間に接続される。第１スイッチ素子（Ｑ３１）及び第２スイッチ素子（Ｑ３２）は、第１スイッチ素子（Ｑ３１）及び第２スイッチ素子（Ｑ３２）の少なくとも一方がオンするように、それぞれオンオフする。電圧変換回路（２２２）は、チョークコイル（Ｌ３２）の電圧を正の整数倍にして整流及び平滑するＮ倍電圧整流平滑回路（２２３）を備える。
【０１４６】
上述の照明システム（Ａ１）は、複数の照明負荷（２）の数が増えても、出力電圧（Ｖｏ）を抑えることができる。
【０１４７】
実施形態に係る第１４の態様の照明システム（Ａ１）では、第８の態様において、交番回路（２２１）は、正端子（Ｐ１１）と負端子（Ｐ１２）との間に直列接続された第１インダクタ（Ｌ３３）と第１スイッチ素子（Ｑ３１）との直列回路、及び正端子（Ｐ１１）と負端子（Ｐ１２）との間に直列接続された第２インダクタ（Ｌ３４）と第２スイッチ素子（Ｑ３２）との直列回路を備えることが好ましい。第１スイッチ素子（Ｑ３１）及び第２スイッチ素子（Ｑ３２）は、第１スイッチ素子（Ｑ３１）及び第２スイッチ素子（Ｑ３２）の少なくとも一方がオンするように、それぞれオンオフする。電圧変換回路（２２２）は、第１インダクタ（Ｌ３３）及び第１スイッチ素子（Ｑ３１）の接続点と第２インダクタ（Ｌ３４）及び第２スイッチ素子（Ｑ３２）の接続点との間の電圧を正の整数倍にして整流及び平滑するＮ倍電圧整流平滑回路（２２３）を備える。
【０１４８】
上述の照明システム（Ａ１）は、複数の照明負荷（２）の数が増えても、出力電圧（Ｖｏ）を抑えることができる。
【０１４９】
実施形態に係る第１５の態様の照明システム（Ａ１）では、第１乃至第１４の態様のいずれか一つにおいて、電源装置（１）は、信号生成回路（１８）を備えることが好ましい。信号生成回路（１８）は、一対の出力端子（Ｐ３、Ｐ４）の間の電圧である出力電圧（Ｖｏ）の値を２つ以上の値（Ｖｏ１、Ｖｏ２）のいずれかに切り換えることで、負荷ブロック（２０）へ伝送信号（Ｓ１、Ｓ２）を送信する。複数の照明負荷（２）のそれぞれは、信号取得部（Ｋ１３）を備えることが好ましい。信号取得部（Ｋ１３）は、正端子（Ｐ１１）と負端子（Ｐ１２）との間の電圧である負荷電圧（Ｖｂ５）に基づいて、出力電圧（Ｖｏ）の値が２つ以上の値（Ｖｏ１、Ｖｏ２）のいずれであるかを判別することで、伝送信号を復調する。信号取得部（Ｋ１３）は、繰り返し設定される検出期間（Ｔｓ）のそれぞれにおいて、負荷電圧（Ｖｂ５）を３以上の奇数回検出し、奇数回の検出結果から、当該検出期間（Ｔｓ）における出力電圧（Ｖｏ）の値が２つ以上の値（Ｖｏ１、Ｖｏ２）のいずれであるかを多数決によって判別する。
【０１５０】
上述の照明システム（Ａ１）は、信号取得部（Ｋ１３）のノイズ耐性を向上させることができる。
【０１５１】
実施形態に係る第１６の態様の照明システム（Ａ１）では、第１５の態様において、信号取得部（Ｋ１３）は、検出期間（Ｔｓ）のそれぞれにおいて、負荷電圧（Ｖｂ５）を同じ時間間隔で奇数回検出することが好ましい。
【０１５２】
上述の照明システム（Ａ１）は、信号取得部（Ｋ１３）のノイズ耐性を向上させることができる。
【０１５３】
実施形態に係る第１７の態様の照明システム（Ａ１）では、第１５の態様において、信号取得部（Ｋ１３）は、検出期間（Ｔｓ）のそれぞれにおいて、負荷電圧（Ｖｂ５）を互いに異なる時間間隔で奇数回検出することが好ましい。
【０１５４】
上述の照明システム（Ａ１）は、信号取得部（Ｋ１３）のノイズ耐性を向上させることができる。
【０１５５】
実施形態に係る第１８の態様の照明システム（Ａ１）では、第１５の態様において、信号取得部（Ｋ１３）は、検出期間（Ｔｓ）のそれぞれにおいて、検出期間（Ｔｓ）の開始タイミング（ｔ０）から奇数回の検出タイミングのうち１回目の検出タイミング（ｔ１）までの時間（Ｔ１）と、奇数回の検出タイミングのうち２回目以降の検出タイミング（ｔ２、ｔ３）の発生周期（Ｔ２、Ｔ３）とを異ならせることが好ましい。
【０１５６】
上述の照明システム（Ａ１）は、信号取得部（Ｋ１３）のノイズ耐性を向上させることができる。
【０１５７】
実施形態に係る第１９の態様の照明システム（Ａ１）では、第１５乃至第１８の態様のいずれか一つにおいて、信号取得部（Ｋ１３）は、検出期間（Ｔｓ）のそれぞれにおいて、検出期間（Ｔｓ）の開始タイミング（ｔ０）における負荷電圧（Ｖｂ５）に応じて、奇数回の検出タイミングのうち１回目の検出タイミング（ｔ１）を決定することが好ましい。
【０１５８】
上述の照明システム（Ａ１）は、信号取得部（Ｋ１３）のノイズ耐性を向上させることができる。
【０１５９】
実施形態に係る第２０の態様の照明システム（Ａ１）では、第１５乃至第１９の態様のいずれか一つにおいて、２つ以上の値は、第１値（Ｖｏ１）及び第２値（Ｖｏ２）を含むことが好ましい。検出期間は、第１値（Ｖｏ１）に対応する第１検出期間及び第２値（Ｖｏ２）に対応する第２検出期間のいずれかである。信号生成回路（１８）は、予め決められた周期（Ｔｓ）毎に出力電圧（Ｖｏ）を第１値（Ｖｏ１）及び第２値（Ｖｏ２）のいずれかに設定することで、周期（Ｔｓ）毎にビット情報を含む伝送信号（Ｓ１、Ｓ２）を送信する。かつ、信号生成回路（１８）は、伝送信号（Ｓ１、Ｓ２）に、出力電圧（Ｖｏ）の値を第１値（Ｖｏ１）又は第２値（Ｖｏ２）に交互に切り換えた測定用ビット列（Ｂ１）を含める。信号取得部（Ｋ１３）は、測定用ビット列（Ｂ１）に対応する負荷電圧（Ｖｂ５）の検出結果に基づいて、第１検出期間及び第２検出期間の各時間長さをそれぞれ設定する。
【０１６０】
上述の照明システム（Ａ１）は、信号取得部（Ｋ１３）のノイズ耐性を向上させることができる。
【０１６１】
実施形態に係る第２１の態様の照明システム（Ａ１）では、第２０の態様において、測定用ビット列（Ｂ１）は、伝送信号（Ｓ１、Ｓ２）の先頭に位置することが好ましい。
【０１６２】
上述の照明システム（Ａ１）は、信号取得部（Ｋ１３）のノイズ耐性を向上させることができる。
【０１６３】
実施形態に係る第２２の態様の照明システム（Ａ１）では、第２０又は第２１の態様において、電源装置（１）は、出力電圧（Ｖｏ）の波形に基づいて、第１値（Ｖｏ１）及び第２値（Ｖｏ２）の少なくとも一方を可変とすることが好ましい。
【０１６４】
上述の照明システム（Ａ１）では、信号取得部（Ｋ１３）は、軽負荷時及び重負荷時であっても、正常な判別処理を行うことができる。
【０１６５】
実施形態に係る第２３の態様の照明システム（Ａ１）では、第２０乃至第２２の態様のいずれか一つにおいて、信号取得部（Ｋ１３）は、負荷電圧（Ｖｂ５）を閾値（Ｖｒ）と比較することで、出力電圧（Ｖｏ）の値が第１値（Ｖｏ１）及び第２値（Ｖｏ２）のいずれであるかを判別する。閾値（Ｖｒ）は、第１値（Ｖｏ１）と第２値（Ｖｏ２）との平均値であることが好ましい。
【０１６６】
上述の照明システム（Ａ１）では、信号取得部（Ｋ１３）は、軽負荷時及び重負荷時であっても、正常な判別処理を行うことができる。
【０１６７】
実施形態に係る第２４の照明負荷（２）は、第１乃至第２３の態様のいずれか一つの照明システム（Ａ１）に用いられる。
【０１６８】
上述の照明負荷（２）は、照明システム（Ａ１）内の照明負荷（２）の数が増えても出力電流（Ｉｏ）を抑制できる。
【０１６９】
実施形態に係る第２５の電源装置（１）は、第１乃至第２３の態様のいずれか一つの照明システム（Ａ１）に用いられる。
【０１７０】
上述の電源装置（１）は、照明システム（Ａ１）内の照明負荷（２）の数が増えても出力電流（Ｉｏ）を抑制できる。
【０１７１】
また、上述の実施形態および変形例は一例である。このため、本発明は、上述の実施形態および変形例に限定されることはなく、この実施形態および変形例以外であっても、本発明に係る技術的思想を逸脱しない範囲であれば、設計等に応じて種々の変更が可能であることは勿論である。
【符号の説明】
【０１７２】
Ａ１  照明システム
１  電源装置
１２  コンバータ
１３  電流検出部
１４  フィードバック制御回路
１５  コンバータ
１６  電流検出部
１７  電流調整回路
１８  信号生成回路
Ｐ３、Ｐ４  一対の出力端
２  照明負荷
２ａ  光源
２０  負荷ブロック
２０１、２１１、２２１  交番回路
２０２、２１２、２２２  電圧変換回路
Ｐ１１  正端子
Ｐ１２  負端子
Ｑ１１  スイッチ素子
Ｋ１１  スイッチ制御回路
Ｄ１１  ダイオード
Ｋ１２  信号受信回路
Ｋ１３  信号取得部
Ｔｒ３１、Ｔｒ４１  トランス
ＤＢ３１、ＤＢ４１  整流回路
３０１、４０１  一次巻線
３０２、４０２  二次巻線
Ｖｂ３、Ｖｂ１３  電圧
Ｌ３１  インダクタ
Ｑ３１  第１スイッチ素子
Ｑ３２  第２スイッチ素子
Ｑ４１  第１スイッチ素子
Ｑ４２  第２スイッチ素子
Ｑ４３  第３スイッチ素子
Ｑ４４  第４スイッチ素子
３１１  一次巻線
３１２  二次巻線
Ｔｒ３２  トランス
２２３  Ｎ倍電圧整流平滑回路
Ｌ３２  チョークコイル
Ｌ３３  第１インダクタ
Ｌ３４  第２インダクタ
Ｖｉ  入力電圧
Ｉｏ  出力電流
Ｖｏ  出力電圧（直流電圧）
Ｖｏ１  出力電圧Ｖｏの第１値
Ｖｏ２  出力電圧Ｖｏの第２値
Ｖｂ１、Ｖｂ１１、Ｖｂ２１、Ｖｂ３１、Ｖｂ４１  第１直流電圧
Ｖｂ２、Ｖｂ１２、Ｖｂ２３、Ｖｂ３２、Ｖｂ４２  交番電圧
Ｖｂ４、Ｖｂ１４、Ｖｂ２４、Ｖｂ３３、Ｖｂ４３  第２直流電圧
Ｖｂ５  負荷電圧
Ｗ１０  主電路
Ｗ２０  負荷電路
Ｓ１、Ｓ２  伝送信号
Ｔｓ  周期（検出期間）
ｔ０  開始タイミング
ｔ１  １回目の検出タイミング
ｔ２、ｔ３  ２回目以降の検出タイミング
Ｔ１  １回目の検出タイミングｔ１までの時間
Ｔ２、Ｔ３  時間（発生周期）
Ｂ１  測定用ビット列
３  調光コントローラ（外部機器）
Ｗ２  信号線
Ｙ１０  個別調光信号
【図１】
2020136195.tif 000003
【図２】
2020136195.tif 000004
【図３】
2020136195.tif 000005
【図４】
2020136195.tif 000006
【図５】
2020136195.tif 000007
【図６】
2020136195.tif 000008
【図７】
2020136195.tif 000009
【図８】
2020136195.tif 000010
【図９】
2020136195.tif 000011
【図１０】
2020136195.tif 000012
【図１１】
2020136195.tif 000013
【図１２】
2020136195.tif 000014
【図１３】
2020136195.tif 000015
【図１４】
2020136195.tif 000016
【図１５】
2020136195.tif 000017
【図１６】
2020136195.tif 000018
【図１７】
2020136195.tif 000019
【図１８】
2020136195.tif 000020
【図１９】
2020136195.tif 000021
【図２０】
2020136195.tif 000022
【図２１】
2020136195.tif 000023
【図２２】
2020136195.tif 000024
【図２３】
2020136195.tif 000025
【図２４】
2020136195.tif 000026
【図２５】
2020136195.tif 000027
【図２６】
2020136195.tif 000028